(57)【特許請求の範囲】
【請求項１】
入力される音声信号に対し、設定されるフィルタ係数に応じたフィルタ処理を施して出力する有限インパルス応答フィルタ（以下、「ＦＩＲフィルタ」と記載）と、
前記ＦＩＲフィルタの位相周波数特性と振幅周波数特性とを独立して変更し、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示する変更特性指定手段と、
前記変更特性指定手段により指定される位相周波数特性と振幅周波数特性とに応じたフィルタ係数を前記ＦＩＲフィルタに設定するフィルタ係数設定手段とを備え、
前記変更特性指定手段は、
横軸を周波数とし、縦軸を位相とする第１のグラフ表示領域を前記画面上に表示させるとともに、この第１のグラフ表示領域に前記位相周波数特性曲線を表示させ、この第１のグラフ表示領域に表示された前記位相周波数特性曲線を変更させる操作のために用いられる第１の変更手段を前記画面上に表示させるように構成され、
前記第１の変更手段の操作に応じて、前記第１のグラフ表示領域に表示された前記位相周波数特性曲線が変更される、音響調整装置。
【請求項２】
前記変更特性指定手段は、
前記第１の変更手段を前記第１のグラフ表示領域に表示させるように構成された、請求項１に記載の音響調整装置。
【請求項３】
前記変更特性指定手段は、
予め定められた複数の周波数の各周波数について表示位置に応じた位相を設定するための位相調整用操作子からなる前記第１の変更手段を前記画面上に表示させ、前記位相調整用操作子の表示位置によって前記ＦＩＲフィルタの位相周波数特性を指定するように構成された、請求項１に記載の音響調整装置。
【請求項４】
前記変更特性指定手段は、
前記第１のグラフ表示領域に表示された前記位相周波数特性曲線自体が前記第１の変更手段であり、前記位相周波数特性曲線を変更するための操作手段を有し、前記操作手段により変更された位相周波数特性曲線によって前記ＦＩＲフィルタの位相周波数特性を指定するように構成された、請求項２に記載の音響調整装置。
【請求項５】
前記変更特性指定手段は、
中心周波数と周波数帯域幅と中心周波数の位相角度とのそれぞれに対応する操作子からなる前記第１の変更手段を前記第１のグラフ表示領域に表示させるとともに、前記操作子の表示位置を変更するための操作手段を有し、前記操作子の表示位置によって中心周波数と周波数帯域幅と中心周波数の位相角度とからなる位相設定情報を特定し、前記特定される１または複数の前記位相設定情報により前記ＦＩＲフィルタの位相周波数特性を指定するように構成された、請求項２に記載の音響調整装置。
【請求項６】
入力される音声信号に対し、設定されるフィルタ係数に応じたフィルタ処理を施して出力するＦＩＲフィルタと、
前記ＦＩＲフィルタの位相周波数特性と振幅周波数特性とを独立して変更し、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示する変更特性指定手段と、
前記変更特性指定手段により指定される位相周波数特性と振幅周波数特性とに応じたフィルタ係数を前記ＦＩＲフィルタに設定するフィルタ係数設定手段とを備え、
前記変更特性指定手段は、
横軸を周波数とし、縦軸を位相とする第１のグラフ表示領域を前記画面上に表示させるとともに、この第１のグラフ表示領域に前記位相周波数特性曲線を描画するための第１の操作手段を有し、前記第１の操作手段による位相周波数特性曲線の描画操作に応じて前記ＦＩＲフィルタの位相周波数特性が指定されるように構成された、音響調整装置。
【請求項７】
前記変更特性指定手段は、
横軸を周波数とし、縦軸をゲインとする第２のグラフ表示領域を前記画面上に表示させるとともに、この第２のグラフ表示領域に前記振幅周波数特性曲線を表示させ、この第２のグラフ表示領域に表示された前記振幅周波数特性曲線を変更させる操作のために用いられる第２の変更手段を前記画面上に表示させるように構成され、
前記第２の変更手段の操作に応じて、前記第２のグラフ表示領域に表示された前記振幅周波数特性曲線が変更される、請求項１に記載の音響調整装置。
【請求項８】
前記変更特性指定手段は、
前記第２の変更手段を前記第２のグラフ表示領域に表示させるように構成された、請求項７に記載の音響調整装置。
【請求項９】
前記変更特性指定手段は、
予め定められた複数の周波数の各周波数について表示位置に応じたゲインを設定するためのゲイン調整用操作子からなる前記第２の変更手段を前記画面上に表示させ、前記ゲイン調整用操作子の表示位置によって前記ＦＩＲフィルタの振幅周波数特性を指定するように構成された、請求項７に記載の音響調整装置。
【請求項１０】
前記変更特性指定手段は、
前記第２のグラフ表示領域に表示された前記振幅周波数特性曲線自体が前記第２の変更手段であり、前記振幅周波数特性曲線を変更するための操作手段を有し、前記操作手段により変更された振幅周波数特性曲線によって前記ＦＩＲフィルタの振幅周波数特性を指定するように構成された、請求項８に記載の音響調整装置。
【請求項１１】
前記変更特性指定手段は、
中心周波数と周波数帯域幅とゲインとのそれぞれに対応する操作子からなる前記第２の変更手段を前記第２のグラフ表示領域に表示させるとともに、前記操作子の表示位置を変更するための操作手段を有し、前記操作子の表示位置によって中心周波数と周波数帯域幅とゲインとからなる振幅設定情報を特定し、前記特定される１または複数の前記振幅設定情報により前記ＦＩＲフィルタの振幅周波数特性を指定するように構成された、請求項８に記載の音響調整装置。
【請求項１２】
前記変更特性指定手段は、
横軸を周波数とし、縦軸をゲインとする第２のグラフ表示領域を前記画面上に表示させるとともに、この第２のグラフ表示領域に前記振幅周波数特性曲線を描画するための第２の操作手段を有し、前記第２の操作手段による振幅周波数特性曲線の描画操作に応じて前記ＦＩＲフィルタの振幅周波数特性が指定されるように構成された、請求項６に記載の音響調整装置。
【請求項１３】
入力される音声信号に対し、設定されるフィルタ係数に応じたフィルタ処理を施して出力するＦＩＲフィルタと、
前記ＦＩＲフィルタの位相周波数特性と振幅周波数特性とを独立して変更し、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示する変更特性指定手段と、
前記変更特性指定手段により指定される位相周波数特性と振幅周波数特性とに応じたフィルタ係数を前記ＦＩＲフィルタに設定するフィルタ係数設定手段とを備え、
前記変更特性指定手段は、
横軸を周波数とし、縦軸を位相とする第１のグラフ表示領域を前記画面上に表示させるとともに、横軸を周波数とし、縦軸をゲインとする第２のグラフ表示領域を前記画面上に表示させ、変更前の位相周波数特性曲線を前記指定する位相周波数特性を表す位相周波数特性曲線とともに前記第１のグラフ表示領域に表示させ、変更前の振幅周波数特性曲線を前記指定する振幅周波数特性を表す振幅周波数特性曲線とともに前記第２のグラフ表示領域に表示させるように構成された、音響調整装置。
【請求項１４】
入力される音声信号に対し、設定されるフィルタ係数に応じたフィルタ処理を施して出力するＦＩＲフィルタと、
前記ＦＩＲフィルタの位相周波数特性と振幅周波数特性とを独立して変更し、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示する変更特性指定手段と、
前記変更特性指定手段により指定される位相周波数特性と振幅周波数特性とに応じたフィルタ係数を前記ＦＩＲフィルタに設定するフィルタ係数設定手段とを備え、
前記変更特性指定手段は、
横軸を周波数とし、縦軸を位相とする第１のグラフ表示領域を前記画面上に表示させるとともに、横軸を周波数とし、縦軸をゲインとする第２のグラフ表示領域を前記画面上に表示させ、目標とする位相周波数特性曲線を前記指定する位相周波数特性を表す位相周波数特性曲線とともに前記第１のグラフ表示領域に表示させ、目標とする振幅周波数特性曲線を前記指定する振幅周波数特性を表す振幅周波数特性曲線とともに前記第２のグラフ表示領域に表示させるように構成された、音響調整装置。
【請求項１５】
前記変更特性指定手段は、
前記ＦＩＲフィルタの後段に接続される音響出力装置と前記ＦＩＲフィルタとの総合の位相周波数特性と振幅周波数特性とを指定するように構成され、
前記フィルタ係数設定手段は、
前記変更特性指定手段により指定される前記総合の位相周波数特性と振幅周波数特性とに対応する前記ＦＩＲフィルタの位相周波数特性と振幅周波数特性とに応じたフィルタ係数を前記ＦＩＲフィルタに設定するように構成された、請求項１に記載の音響調整装置。
【請求項１６】
コンピュータを、
第１のファイル形式の音声ファイルから音声波形データを抽出するデータ抽出手段と、
前記抽出した音声波形データに対してフィルタ処理を施すＦＩＲフィルタ手段と、
前記フィルタ処理が施された音声波形データに基づいて、第２のファイル形式の音声ファイルを作成するファイル作成手段と、
前記ＦＩＲフィルタ手段の位相周波数特性と振幅周波数特性とを独立して変更し、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示し、前記指定する位相周波数特性と振幅周波数特性とに応じたフィルタ係数を前記ＦＩＲフィルタ手段に設定するフィルタ特性変更手段として機能させ、
前記フィルタ特性変更手段は、
横軸を周波数とし、縦軸を位相とする第１のグラフ表示領域を前記画面上に表示させるとともに、この第１のグラフ表示領域に前記位相周波数特性曲線を表示させ、この第１のグラフ表示領域に表示された前記位相周波数特性曲線を変更させる操作のために用いられる第１の変更手段を前記画面上に表示させるように構成され、
前記第１の変更手段の操作に応じて、前記第１のグラフ表示領域に表示された前記位相周波数特性曲線が変更される、音声編集プログラム。
【発明の詳細な説明】
【技術分野】
【０００１】
本発明は、音声信号の周波数特性（振幅周波数特性及び位相周波数特性）を調整する音響調整装置、音声信号の周波数特性を調整することができる音響装置、及び音声データの編集処理を行うための音声編集プログラムに関する。
【背景技術】
【０００２】
従来、音響装置では、そのシステム全体の振幅周波数特性及び位相周波数特性が平坦な直線状になるようにイコライズするために、ＦＩＲ（有限インパルス応答）フィルタを用いているものがある。なお、位相周波数特性とは、一般に位相特性などと言われるものであって、周波数を横軸に位相を縦軸に記して表される特性のことを言う。また、振幅周波数特性とは、オーディオ業界において一般に周波数特性などと言われるものであって、周波数を横軸に振幅を縦軸に記して表される特性のことを言う。
【０００３】
例えば、特許文献１には、ＦＩＲフィルタが用いられて、スピーカから出力される音響の位相周波数特性が直線性を有するようにＦＩＲフィルタの係数が設定された構成が記載されている。
【０００４】
一方、特許文献２には、オペアンプを用いて構成された１８０度移相回路を少なくとも３段縦続接続した構成とし、可聴周波数の範囲における周波数の対数的な増加に対応して音声入力信号の位相を漸次遅らせて可聴周波数の範囲においてトータルで４５０度〜６００度の範囲の位相遅れを発生する位相周波数特性をもつ音質改善回路が示されている。
【先行技術文献】
【特許文献】
【０００５】
【特許文献１】特開２０００−９１８６５号公報
【特許文献２】特開２００５−１４３０９３号公報
【発明の概要】
【発明が解決しようとする課題】
【０００６】
上記の特許文献１の技術では、スピーカから出力される音響の位相周波数特性が直線性を有するように設定されている。また、特許文献２の技術では、周波数の対数的な増加に対応して直線的な傾きで位相を遅らせるように構成されている。このようにこれらの従来技術では、予めどのような位相周波数特性にするかが定められているため、聴取者の好みや種々の用途等に応じて音質の調整を行うことが困難である。
【０００７】
本発明は上記のような課題を解決するためになされたもので、聴取者の好みや種々の用途等に応じて音質の調整を容易に行うことができる音響調整装置を提供することを第１の目的としている。
【０００８】
また、本発明は、聴取者の好みや種々の用途等に応じて音質の調整を容易に行うことができる音響装置を提供することを第２の目的としている。
【０００９】
また、本発明は、聴取者の好みや種々の用途等に応じて音質の調整が行われた、音源となる音声ファイルを作成することができる音声編集プログラムを提供することを第３の目的としている。
【課題を解決するための手段】
【００１０】
上記第１の目的を達成するために、本発明の音響調整装置は、入力される音声信号に対し、設定されるフィルタ係数に応じたフィルタ処理を施して出力する有限インパルス応答フィルタ（以下、「ＦＩＲフィルタ」と記載）と、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示する変更特性指定手段と、前記変更特性指定手段により指定される位相周波数特性と振幅周波数特性とに応じたフィルタ係数を前記ＦＩＲフィルタに設定するフィルタ係数設定手段とを備えている。
【００１１】
この構成によれば、例えば、ＦＩＲフィルタから出力される音声信号を増幅器等を介してスピーカから拡声音として出力させるようにした場合に、ＦＩＲフィルタではフィルタ係数の設定により位相周波数特性を振幅周波数特性とは独立して設定することができるため、ＦＩＲフィルタの位相周波数特性を振幅周波数特性とは独立して設定することにより聴取者の好みや種々の用途等に応じて音質の調整を容易に行うことができる。特に、ある周波数の位相を遅らせる、あるいは進めることにより、音質の調整を行うことが可能になる。
【００１２】
また、前記変更特性指定手段は、予め定められた複数の周波数の各周波数について表示位置に応じた位相を設定するための位相調整用操作子を前記表示手段の画面に表示し、前記位相調整用操作子の表示位置によって前記ＦＩＲフィルタの位相周波数特性を指定するように構成されていてもよい。
【００１３】
この構成によれば、操作者は、表示手段の画面上で所望するＦＩＲフィルタの位相周波数特性を容易に設定することができる。
【００１４】
また、前記変更特性指定手段は、前記表示手段の画面に予め表示されている位相周波数特性曲線を変更するための操作手段を有し、前記操作手段により変更された位相周波数特性曲線によって前記ＦＩＲフィルタの位相周波数特性を指定するように構成されていてもよい。
【００１５】
この構成によれば、操作者は、表示手段の画面上で所望するＦＩＲフィルタの位相周波数特性を容易に設定することができる。
【００１６】
また、前記変更特性指定手段は、前記表示手段の画面に位相特性表示領域を表示し、前記表示手段の画面の前記位相特性表示領域に位相周波数特性曲線を描画するための操作手段を有し、前記操作手段により描画された位相周波数特性曲線によって前記ＦＩＲフィルタの位相周波数特性を指定するように構成されていてもよい。
【００１７】
この構成によれば、操作者は、表示手段の画面上で所望するＦＩＲフィルタの位相周波数特性を容易に設定することができる。
【００１８】
また、前記変更特性指定手段は、前記表示手段の画面に、所定の位相周波数特性曲線と、前記所定の位相周波数特性曲線上に配置され中心周波数と周波数帯域幅と中心周波数の位相角度とのそれぞれに対応する操作子とを表示し、前記操作子の表示位置を変更するための操作手段を有し、前記表示手段は前記操作子の表示位置の変更に伴って前記所定の位相周波数特性曲線の形状を変化させるように構成され、前記操作子の表示位置によって中心周波数と周波数帯域幅と中心周波数の位相角度とからなる位相設定情報を特定し、前記特定される１または複数の前記位相設定情報により前記ＦＩＲフィルタの位相周波数特性を指定するように構成されていてもよい。
【００１９】
また、前記変更特性指定手段は、予め定められた複数の周波数の各周波数について表示位置に応じたゲインを設定するためのゲイン調整用操作子と、前記各周波数について表示位置に応じた位相を設定するための位相調整用操作子とを前記表示手段の画面に表示し、前記ゲイン調整用操作子の表示位置によって前記ＦＩＲフィルタの振幅周波数特性を指定するとともに前記位相調整用操作子の表示位置によって前記ＦＩＲフィルタの位相周波数特性を指定するように構成されていてもよい。
【００２０】
この構成によれば、操作者は、表示手段の画面上で所望するＦＩＲフィルタの振幅周波数特性と位相周波数特性とを容易に設定することができる。
【００２１】
また、前記変更特性指定手段は、前記表示手段の画面に予め表示されている振幅周波数特性曲線と位相周波数特性曲線とを変更するための操作手段を有し、前記操作手段により変更された振幅周波数特性曲線によって前記ＦＩＲフィルタの振幅周波数特性を指定するとともに前記操作手段により変更された位相周波数特性曲線によって前記ＦＩＲフィルタの位相周波数特性を指定するように構成されていてもよい。
【００２２】
この構成によれば、操作者は、表示手段の画面上で所望するＦＩＲフィルタの振幅周波数特性と位相周波数特性とを容易に設定することができる。
【００２３】
また、前記変更特性指定手段は、前記表示手段の画面に振幅特性表示領域と位相特性表示領域とを表示し、前記表示手段の画面の前記振幅特性表示領域に振幅周波数特性曲線を描画するとともに前記位相特性表示領域に位相周波数特性曲線を描画するための操作手段を有し、前記操作手段により描画された振幅周波数特性曲線によって前記ＦＩＲフィルタの振幅周波数特性を指定するとともに前記操作手段により描画された位相周波数特性曲線によって前記ＦＩＲフィルタの位相周波数特性を指定するように構成されていてもよい。
【００２４】
この構成によれば、操作者は、表示手段の画面上で所望するＦＩＲフィルタの振幅周波数特性と位相周波数特性とを容易に設定することができる。
【００２５】
また、前記変更特性指定手段は、前記表示手段の画面に、所定の振幅周波数特性曲線及び所定の位相周波数特性曲線と、前記所定の振幅周波数特性曲線上に配置され中心周波数と周波数帯域幅とゲインとのそれぞれに対応する第１の操作子と、前記所定の位相周波数特性曲線上に配置され中心周波数と周波数帯域幅と中心周波数の位相角度とのそれぞれに対応する第２の操作子とを表示し、前記第１の操作子及び第２の操作子の表示位置を変更するための操作手段を有し、前記表示手段は前記第１の操作子の表示位置の変更に伴って前記所定の振幅周波数特性曲線の形状を変化させるとともに前記第２の操作子の表示位置の変更に伴って前記所定の位相周波数特性曲線の形状を変化させるように構成され、前記第１の操作子の表示位置によって中心周波数と周波数帯域幅とゲインとからなる振幅設定情報を特定するとともに前記第２の操作子の表示位置によって中心周波数と周波数帯域幅と中心周波数の位相角度とからなる位相設定情報を特定し、前記特定される１または複数の前記振幅設定情報により前記ＦＩＲフィルタの振幅周波数特性を指定するとともに前記特定される１または複数の前記位相設定情報により前記ＦＩＲフィルタの位相周波数特性を指定するように構成されていてもよい。
【００２６】
また、前記変更特性指定手段は、変更前の位相周波数特性曲線を前記指定する位相周波数特性を表す位相周波数特性曲線とともに前記表示手段の画面に表示し、変更前の振幅周波数特性曲線を前記指定する振幅周波数特性を表す振幅周波数特性曲線とともに前記表示手段の画面に表示するように構成されていてもよい。
【００２７】
また、前記変更特性指定手段は、目標とする位相周波数特性曲線を前記指定する位相周波数特性を表す位相周波数特性曲線とともに前記表示手段の画面に表示し、目標とする振幅周波数特性曲線を前記指定する振幅周波数特性を表す振幅周波数特性曲線とともに前記表示手段の画面に表示するように構成されていてもよい。
【００２８】
また、前記変更特性指定手段は、前記ＦＩＲフィルタの後段に接続される音響出力装置と前記ＦＩＲフィルタとの総合の位相周波数特性と振幅周波数特性とを指定するように構成され、前記フィルタ係数設定手段は、前記変更特性指定手段により指定される前記総合の位相周波数特性と振幅周波数特性とに対応する前記ＦＩＲフィルタの位相周波数特性と振幅周波数特性とに応じたフィルタ係数を前記ＦＩＲフィルタに設定するように構成されていてもよい。
【００２９】
この構成によれば、例えば、ＦＩＲフィルタから出力される音声信号を後段の音響出力装置（増幅器及びスピーカ等）から拡声音として出力させるようにした場合に、ＦＩＲフィルタではフィルタ係数の設定により振幅周波数特性と位相周波数特性とをそれぞれ個別的に設定することができるため、音響出力装置とＦＩＲフィルタとの総合の振幅周波数特性と位相周波数特性を指定することによりＦＩＲフィルタの振幅周波数特性と位相周波数特性とを個別的に設定し、それにより聴取者の好みや種々の用途等に応じて音質の調整を容易に行うことができる。特に、ある周波数の位相を遅らせる、あるいは進めることにより、音質の調整を行うことが可能になる。
【００３０】
また、本発明の音響調整装置は、音声信号を入力し、この音声信号にフィルタ処理を施して出力し、自身の位相周波数特性として、振幅周波数特性とは独立して任意の位相周波数特性を設定することができるフィルタ装置を備え、後段にスピーカを有する音響出力装置が接続され、前記フィルタ装置と前記スピーカとの総合の位相周波数特性が、他の特定のスピーカの位相周波数特性と同一となるように、前記フィルタ装置の位相周波数特性が設定されていてもよい。
【００３１】
この構成によれば、前記スピーカによって前記他の特定のスピーカの位相周波数特性を模擬することができる。
【００３２】
また、本発明の音響装置は、音声信号を入力し、この音声信号にフィルタ処理を施して出力し、自身の位相周波数特性として、振幅周波数特性とは独立して任意の位相周波数特性を設定することができるフィルタ装置を備え、後段にスピーカを有する音響出力装置が接続される場合に、前記スピーカと前記フィルタ装置との総合の位相周波数特性が、他の特定のスピーカの位相周波数特性と同一となるように、前記フィルタ装置の位相周波数特性が設定されていてもよい。
【００３３】
この構成によれば、前記スピーカによって前記他の特定のスピーカの位相周波数特性を模擬することができる。
【００３４】
また、本発明のアンプ内蔵スピーカは、外部から音声信号を入力する外部入力端子と、前記外部入力端子からの音声信号を、フィルタ装置を介して入力し、電力増幅して出力する増幅回路と、前記増幅回路から出力される音声信号を音響信号に変換して外部へ出力するスピーカとを備え、前記フィルタ装置は、入力した音声信号にフィルタ処理を施して出力し、自身の位相周波数特性として、振幅周波数特性とは独立して任意の位相周波数特性を設定することができるように構成されている。
【００３５】
この構成は、所謂、アンプ内蔵スピーカにフィルタ装置を内蔵した構成であり、聴取者の好みや種々の用途等に応じて、スピーカから出力される音質の調整を行うことが可能になる。
【００３６】
また、本発明の拡声器は、外部から入力される音響信号を音声信号に変換するマイクロホンと、前記マイクロホンからの音声信号を、フィルタ装置を介して入力し、電力増幅して出力する増幅回路と、前記増幅回路から出力される音声信号を音響信号に変換して出力するスピーカとを備え、前記フィルタ装置は、入力した音声信号にフィルタ処理を施して出力し、自身の位相周波数特性として、振幅周波数特性とは独立して任意の位相周波数特性を設定することができるように構成されている。
【００３７】
この構成は、拡声器にフィルタ装置を内蔵した構成であり、聴取者の好みや種々の用途等に応じて、スピーカから出力される音質の調整を行うことが可能になる。
【００３８】
また、本発明の音声編集プログラムは、コンピュータを、第１のファイル形式の音声ファイルから音声波形データを抽出するデータ抽出手段と、前記抽出した音声波形データに対してフィルタ処理を施すＦＩＲフィルタ手段と、前記フィルタ処理が施された音声波形データに基づいて、第２のファイル形式の音声ファイルを作成するファイル作成手段と、前記ＦＩＲフィルタ手段の位相周波数特性と振幅周波数特性とを独立して変更し、変更後に実現されるべき位相周波数特性と振幅周波数特性とを指定することができ、前記指定する位相周波数特性を表す位相周波数特性曲線と、前記指定する振幅周波数特性を表す振幅周波数特性曲線とを表示手段の同一の画面上に表示し、前記指定する位相周波数特性と振幅周波数特性とに応じたフィルタ係数を前記ＦＩＲフィルタ手段に設定するフィルタ特性変更手段として機能させるための音声編集プログラムである。
【００３９】
この構成によれば、従来では実現できなかった音質の調整が行われた音声ファイルを作成することが可能になる。例えば、ある帯域において、振幅を変化させずに位相を進めることにより、位相を進めた帯域の音がより強調された聞こえ方になり、かつ騒々しく聞こえなくなるなど従来では実現できなかった調整ができるようになり、聴取者の好みや種々の用途等に応じて音質の調整が行われた音声ファイルを作成することができる。
【００４０】
また、ＦＩＲフィルタ手段の位相周波数特性を振幅周波数特性とは独立して変更することにより、他の用途等に応じて音質の調整が行われた音声ファイルを作成することができる。
【発明の効果】
【００４１】
本発明の音響調整装置は、以上に説明した構成を有し、聴取者の好みや種々の用途等に応じて音質の調整を容易に行うことができるという効果を奏する。
【００４２】
また、本発明の音響装置は、以上に説明した構成を有し、聴取者の好みや種々の用途等に応じて音質の調整を容易に行うことができるという効果を奏する。
【００４３】
また、本発明の音声編集プログラムは、以上に説明した構成を有し、聴取者の好みや種々の用途等に応じて音質の調整が行われた、音源となる音声ファイルを作成することができるという効果を奏する。
【００４４】
本発明の上記目的、他の目的、特徴、及び利点は、添付図面参照の下、以下の好適な実施態様の詳細な説明から明らかにされる。
【図面の簡単な説明】
【００４５】
【図１】図１は、本発明の第１の実施形態の音響調整装置を用いた音響装置の構成の一例を示すブロック図である。
【図２】図２は、本発明の第１の実施形態におけるＦＩＲフィルタの構成の一例を示す回路図である。
【図３】図３は、本発明の第１の実施形態における第１構成例の操作入力部の表示画面を示す図である。
【図４】図４は、本発明の第１の実施形態における第２構成例の操作入力部の表示画面を示す図である。
【図５】図５は、本発明の第１の実施形態における第６構成例の操作入力部の表示画面を示す図である。
【図６】図６は、本発明の第１の実施形態における第７構成例の操作入力部の表示画面を示す図である。
【図７】図７は、本発明の第１の実施形態における第８構成例の操作入力部の表示画面を示す図である。
【図８】図８は、本発明の第２の実施形態の音響装置の構成を示すブロック図である。
【図９】図９は、本発明の第４の実施形態の音響装置の構成を示すブロック図である。
【図１０】図１０は、本発明の第５の実施形態の音響装置の構成を示すブロック図である。
【図１１】図１１は、本発明の第６の実施形態の音響装置の構成を示すブロック図である。
【図１２】図１２（ａ）は、本発明の第７の実施形態の音声編集プログラムを実行する音声編集装置の構成を示すブロック図であり、図１２（ｂ）は、音声編集装置で作成された音声ファイルを再生出力する音響装置の一例を示す図である。
【図１３】図１３は、本発明の第７の実施形態の音声編集プログラムが実行されることによって実現される音声編集装置の動作を示すフローチャートである。
【発明を実施するための形態】
【００４６】
以下、本発明の好ましい実施の形態を、図面を参照しながら説明する。
【００４７】
〔第１の実施形態；音響調整装置〕
図１は、本発明の第１の実施形態の音響調整装置を用いた音響装置の構成の一例を示すブロック図である。
【００４８】
この音響装置は、フィルタ装置である音響調整装置１と、音響調整装置１に接続されたＤ／Ａ（デジタル／アナログ）変換器２と、音響調整装置１の後段にＤ／Ａ変換器２を介して接続された音響出力装置とが備えられている。
【００４９】
音響出力装置には、Ｄ／Ａ変換器２に接続された増幅器３と、増幅器３に接続されたスピーカ４とが備えられている。
【００５０】
音響調整装置１には、ＦＩＲ（有限インパルス応答）フィルタ１１と、フィルタ係数設定手段として機能する演算制御部１２と、変更特性指定手段として機能する操作入力部１３とが備えられている。この音響調整装置１のＦＩＲフィルタ１１が、音響装置の外部入力端子ＩＮとＤ／Ａ変換器２とを接続する信号線の途中に挿入されている。
【００５１】
ＦＩＲフィルタ１１では、デジタル信号処理が行われ、例えばマイクロホンから出力されるアナログ音声信号がＡ／Ｄ変換されたデジタル音声信号、あるいはＣＤプレーヤ等の記録媒体再生装置から出力されるデジタル音声信号が、音響装置の外部入力端子ＩＮを介して入力される。ＦＩＲフィルタ１１にて所定の処理（フィルタリング）が施された信号は、Ｄ／Ａ変換器２に入力されてアナログ信号に変換され、さらに増幅器３によって電力増幅されてスピーカ４へ出力され、スピーカ４から拡声音（音響信号）として出力される。
【００５２】
図２は、ＦＩＲフィルタ１１の構成の一例を示す回路図である。
【００５３】
このＦＩＲフィルタ１１には、ｎ個の縦続接続された遅延回路２１と、（ｎ＋１）個の乗算器２２と、加算器２３とを備えている。各遅延回路２１では、それぞれの入力信号をサンプリング周期だけ遅延させて出力し、各乗算器２２では、それぞれに対応して設定されるフィルタ係数ｈｋ（ｋ＝０〜ｎ）を入力信号に乗算して出力し、各乗算器２２の出力が加算器２３で加算されて出力される。このようなＦＩＲフィルタ１１では、フィルタ係数ｈｋを設定することによって振幅周波数特性（以下、「振幅特性」という）と位相周波数特性（以下、「位相特性」という）とが定まる。
【００５４】
ここで、位相特性とは、周波数を横軸に位相を縦軸に記して表される特性のことを言う。また、振幅特性とは、周波数を横軸に振幅（例えば、ゲイン）を縦軸に記して表される特性のことを言う。
【００５５】
演算制御部１２は、例えばマイクロコンピュータによって構成され、操作入力部１３の操作に応じたフィルタ係数ｈｋを導き出してＦＩＲフィルタ１１に設定する。各フィルタ係数ｈｋは各乗算器２２の利得として設定される。後述の第１〜第３構成例の場合には、演算制御部１２は、操作入力部１３の操作によって指定された振幅特性及び位相特性に応じたフィルタ係数ｈｋを算出し、ＦＩＲフィルタ１１に設定する。この場合、その周波数特性（振幅特性及び位相特性）の情報を逆高速フーリエ変換（逆ＦＦＴ）等を行うことによってフィルタ係数ｈｋを求めることができる。
【００５６】
操作入力部１３では、操作者によって、例えばＦＩＲフィルタ１１に設定される振幅特性及び位相特性を指定するための操作が行われる。操作入力部１３は、後述の第１〜第３構成例の場合には、例えば、液晶ディスプレイとペンタブレットとを統合した液晶ペンタブレット等を用いて構成される。この場合、振幅特性と位相特性を入力するための表示画面が表示され、ポインティングデバイスとしてスタイラスペンを用いる。
【００５７】
以下、各構成例について述べるが、各構成例では、操作入力部１３及び演算制御部１２の構成が異なり、他の構成については同じである。
【００５８】
（第１構成例）
図３は、第１構成例の操作入力部１３の表示画面を示す図である。
【００５９】
この図３に示された表示画面３１の場合、その画面の左側下部領域が振幅特性を指定するための振幅特性指定領域であり、左側上部領域が指定される振幅特性を振幅特性曲線３４で表示する振幅特性表示領域である。また、画面の右側下部領域が位相特性を指定するための位相特性指定領域であり、右側上部領域が指定される位相特性を位相特性曲線３５で表示する位相特性表示領域である。
【００６０】
振幅特性指定領域には、例えば可聴周波数（２０Ｈｚ〜２０ｋＨｚ）の範囲内で予め設定された複数の周波数の各々におけるゲイン（利得）を設定するためのゲイン調整用操作子３２が表示されている。同様に、位相特性指定領域には、上記の可聴周波数の範囲内で予め設定された複数の周波数の各々における位相を設定するための位相調整用操作子３３が表示されている。例えば、上記の予め設定された複数の周波数が１０個とした場合には、図中、左から右へ並んだゲイン調整用操作子３２及び位相調整用操作子３３のそれぞれは、左から順に、例えば、３１Ｈｚ、６２Ｈｚ、１２５Ｈｚ、２５０Ｈｚ、５００Ｈｚ、１ｋＨｚ、２ｋＨｚ、４ｋＨｚ、８ｋＨｚ、１６ｋＨｚの周波数のものに対応する。また、これらの周波数の数値については、表示画面３１に表示されるが、図３ではその図示を省略している。
【００６１】
操作者はスタイラスペンを用いて、所望の振幅特性となるように各ゲイン調整用操作子３２の位置を上下に移動（ドラッグ）させて各周波数におけるゲインを設定する。同様に、所望の位相特性となるように各位相調整用操作子３３の位置を上下に移動させて各周波数における位相を設定する。そして、各ゲイン調整用操作子３２の位置に対応する振幅特性曲線３４が表示され、各位相調整用操作子３３の位置に対応する位相特性曲線３５が表示される。なお、各ゲイン調整用操作子３２，各位相調整用操作子３３は、一度も設定が行われていない初期状態としては、例えば、各周波数におけるゲインあるいは位相が０に設定された状態として表示される。
【００６２】
以上に述べた図３に示す表示画面３１が表示される操作入力部１３では、例えば表示画面３１上の「確定」ボタン（図示せず）をスタイラスペンで触れることにより、各ゲイン調整用操作子３２の位置を示す表示情報と、各位相調整用操作子３３の位置を示す表示情報とを演算制御部１２へ出力する。これにより、ＦＩＲフィルタ１１に設定しようとする振幅特性と位相特性とが操作入力部１３によって指定される。演算制御部１２では、各ゲイン調整用操作子３２の表示情報を振幅特性情報に変換するとともに各位相調整用操作子３３の表示情報を位相特性情報に変換した後、それらの振幅特性情報と位相特性情報とに基づき、逆ＦＦＴ等の演算を行うことによりフィルタ係数ｈｋを求め、それをＦＩＲフィルタ１１に設定する。なお、各ゲイン調整用操作子３２の表示情報は、広い間隔の周波数（前述のように例えば３１Ｈｚ、６２Ｈｚ、・・・・、８ｋＨｚ、１６ｋＨｚ）についての情報であるため、演算制御部１２では、これらの周波数のすき間の周波数に関する振幅情報（ゲイン）を補間して振幅特性情報を求める。同様に、各位相調整用操作子３３の表示情報も、広い間隔の周波数（前述のように例えば３１Ｈｚ、６２Ｈｚ、・・・・、８ｋＨｚ、１６ｋＨｚ）についての情報であるため、演算制御部１２では、これらの周波数のすき間の周波数に関する位相情報を補間して位相特性情報を求める。
【００６３】
なお、一旦ゲインあるいは位相の設定を行い、次に設定を変更するとき、その変更前には、各ゲイン調整用操作子３２，各位相調整用操作子３３はその直前に設定されたときの状態である変更前の状態が表示される。その状態から各操作子３２，３３を上下に移動させて設定を変更する。このとき、各操作子３２，３３の位置に対応して表示される振幅特性曲線３４及び位相特性曲線３５の他、変更前の振幅特性曲線３４ａ及び位相特性曲線３５ａを表示しておくようにしてもよい。これにより、変更前の振幅特性及び位相特性と新たに設定しようとする振幅特性及び位相特性との比較が容易になる。
【００６４】
なお、各ゲイン調整用操作子３２，各位相調整用操作子３３は、上記のように画面上に表示されるものではなく、操作者が実際に手で操作するハードウェアで構成されるようにしてもよい。
【００６５】
なお、振幅特性情報とは、例えば振幅特性曲線３４のグラフで示されるような振幅特性を表す数値列のデータであり、位相特性情報とは、例えば位相特性曲線３５のグラフで示されるような位相特性を表す数値列のデータである。
【００６６】
（第２、第３構成例）
図４は、第２構成例の操作入力部１３の表示画面を示す図である。
【００６７】
この図４に示された表示画面４１の場合、その上半分の上部領域が振幅特性を指定するための領域（振幅特性表示領域）であり、下半分の下部領域が位相特性を指定するための領域（位相特性表示領域）である。
【００６８】
上部の振幅特性表示領域には、例えば可聴周波数の範囲内において設定される振幅特性を示すためのライン（振幅特性線）４２が表示される。このライン４２は、初期状態として、例えば、可聴周波数の全範囲においてゲインが０に設定された状態である。あるいは、これ以外の状態に設定されてあってもよい。操作者はスタイラスペンを用いて、ライン４２の任意の箇所をドラッグすることにより所望の振幅特性を示すライン４２を形成する。
【００６９】
下部の位相特性表示領域には、例えば可聴周波数の範囲内において設定される位相特性を示すためのライン（位相特性線）４３が表示される。このライン４３は、初期状態として、例えば、可聴周波数の全範囲において位相が０に設定された状態である。あるいは、これ以外の状態に設定されてあってもよい。操作者はスタイラスペンを用いて、ライン４３の任意の箇所をドラッグすることにより所望の位相特性を示すライン４３を形成する。
【００７０】
なお、上記の第２構成例の操作入力部１３では、任意のライン４２，４３を変形させて所望の特性を示すライン４２，４３を形成するようにしたが、例えば、初期状態の表示画面４１を、図４においてライン４２，４３以外のものが表示され、ライン４２，４３のみが表示されていない画面とし、操作者はスタイラスペンを用いて所望の特性を示すライン４２，４３を描画するようにしてもよい（これを、第３構成例の操作入力部１３とする）。
【００７１】
以上に述べた図４に示す表示画面４１が表示される第２及び第３構成例の操作入力部１３では、例えば表示画面４１上の「確定」ボタン（図示せず）をスタイラスペンで触れることにより、ライン４２の表示情報と、ライン４３の表示情報とを演算制御部１２へ出力する。これにより、ＦＩＲフィルタ１１に設定しようとする振幅特性と位相特性とが操作入力部１３によって指定される。演算制御部１２では、ライン４２の表示情報を振幅特性情報に変換するとともにライン４３の表示情報を位相特性情報に変換した後、それらの振幅特性情報と位相特性情報とに基づき、逆ＦＦＴ等の演算を行うことによりフィルタ係数ｈｋを求め、それをＦＩＲフィルタ１１に設定する。
【００７２】
上記の図３、図４に示すような表示画面を表示するように構成された第１、第２及び第３構成例の操作入力部１３を用いた場合には、操作者は、表示画面上で所望するＦＩＲフィルタ１１の振幅特性と位相特性とを容易に指定することが可能になる。
【００７３】
（第４構成例）
次に、第４構成例について説明する。この第４構成例では、演算制御部１２には、例えば演算制御部１２を構成するマイクロコンピュータの内部メモリからなる記憶部を有しており、ここにＦＩＲフィルタ１１に関する複数の振幅特性情報と複数の位相特性情報とを予め格納（記憶）しておく。そして、操作入力部１３を操作することによって、記憶部に格納されたものの中から所望の振幅特性情報及び位相特性情報を選択するように構成されている。この第４構成例の場合の操作入力部１３には、例えば、複数の振幅特性のそれぞれに対応する振幅特性指定ボタン及び複数の位相特性のそれぞれに対応する位相特性指定ボタンが設けられている。これらの指定ボタンは、押しボタン式等の実際に人間の手で選択操作するものであってもよいし、タッチパネルに表示され、指やスタイラスペンで触れることにより選択されるものであってもよく、いずれの場合も振幅特性及び位相特性を指定するための操作が容易である。操作入力部１３では、選択された振幅特性指定ボタンに対応する振幅特性の選択信号と、選択された位相特性指定ボタンに対応する位相特性の選択信号とを演算制御部１２へ出力する。演算制御部１２では、それぞれの選択信号に対応する振幅特性情報と位相特性情報とを記憶部から読み出し、それらの振幅特性情報と位相特性情報とに基づき、逆ＦＦＴ等の演算を行うことによりフィルタ係数ｈｋを求め、それをＦＩＲフィルタ１１に設定する。
【００７４】
また、上記の第４構成例において、演算制御部１２内の記憶部の記憶している情報の書き換えができるように操作入力部１３を構成しておいてもよい。例えば、演算制御部１２の記憶部には、増幅器３やスピーカ４により構成される音響出力装置に応じたＦＩＲフィルタ１１の振幅特性情報と位相特性情報とが記憶されている場合に、音響出力装置を他の音響出力装置に変更した場合に、前記他の音響出力装置に応じたＦＩＲフィルタ１１の位相特性情報及び振幅特性情報に書き換えるようにすればよい。この場合、操作入力部１３に、フラッシュメモリ、ＣＤ等の記録媒体の情報を読み取る読取り手段を設けておき、記録媒体から読み取った新しい振幅特性情報と位相特性情報を記憶部に格納（記憶）するように構成すればよい。記録媒体は、音響調整装置あるいは音響装置の製造会社等から配布されたものであってもよいし、ユーザがパソコン（パーソナルコンピュータ）を操作して音響調整装置あるいは音響装置の製造会社等のホストコンピュータから、新しい振幅特性情報と位相特性情報のファイルをダウンロードして記録媒体に記録したものであってもよい。
【００７５】
（第５構成例）
次に、第５構成例について説明する。この第５構成例では、操作入力部１３には、例えば、ＦＩＲフィルタ１１の初期状態（例えばゲインが０）あるいは直前に設定された振幅特性から、予め設定された複数の周波数の各々におけるゲインを増加するための振幅増加周波数指定ボタン及びゲインを減少するための振幅減少周波数指定ボタンが各周波数に対応して設けられているとともに、ＦＩＲフィルタ１１の初期状態（例えば位相が０）あるいは直前に設定された位相特性から、予め設定された複数の周波数の各々における位相を進めるための位相進相周波数指定ボタン及び位相を遅らせるための位相遅相周波数指定ボタンが各周波数に対応して設けられている。上記の予め設定された複数の周波数が１０個とした場合には、振幅増加周波数指定ボタン、振幅減少周波数指定ボタン、位相進相周波数指定ボタン及び位相遅相周波数指定ボタンがそれぞれ１０個ずつ設けられ、それぞれの指定ボタンは、例えば、３１Ｈｚ、６２Ｈｚ、１２５Ｈｚ、２５０Ｈｚ、５００Ｈｚ、１ｋＨｚ、２ｋＨｚ、４ｋＨｚ、８ｋＨｚ、１６ｋＨｚの周波数のものに対応する。これらの指定ボタンは、押しボタン式等の実際に人間の手で選択操作するものであってもよいし、タッチパネルに表示され、指やスタイラスペンで触れることにより選択されるものであってもよい。
【００７６】
この場合、操作入力部１３では、ある振幅増加周波数指定ボタンがｎ回選択操作されると、選択された振幅増加周波数指定ボタンに対応する選択信号を演算制御部１２へｎ回出力し、ある振幅減少周波数指定ボタンがｎ回選択操作されると、選択された振幅減少周波数指定ボタンに対応する選択信号を演算制御部１２へｎ回出力する。また、ある位相進相周波数指定ボタンがｎ回選択操作されると、選択された位相進相周波数指定ボタンに対応する選択信号を演算制御部１２へｎ回出力し、ある位相遅相周波数指定ボタンがｎ回選択操作されると、選択された位相遅相周波数指定ボタンに対応する選択信号を演算制御部１２へｎ回出力する。
【００７７】
演算制御部１２では、直前に設定されているＦＩＲフィルタ１１の振幅特性に対して、選択信号がｎ回出力された振幅増加周波数指定ボタンに対応する周波数のゲインを所定値×ｎの分増加させるとともに、選択信号がｎ回出力された振幅減少周波数指定ボタンに対応する周波数のゲインを所定値×ｎの分減少させることにより変更後の振幅特性を定める情報を求め、その情報に基づいて振幅特性情報を求める。上記所定値は、予め定められた値である。各振幅増加周波数指定ボタン及び振幅減少周波数指定ボタンの選択信号によって得られる変更後の振幅特性を定める情報は、広い間隔の周波数（前述のように例えば３１Ｈｚ、６２Ｈｚ、・・・・、８ｋＨｚ、１６ｋＨｚ）についての情報であるため、演算制御部１２では、これらの周波数のすき間の周波数に関する振幅情報（ゲイン）を補間して振幅特性情報を求める。
【００７８】
また、演算制御部１２では、直前に設定されているＦＩＲフィルタ１１の位相特性に対して、選択信号がｎ回出力された位相進相周波数指定ボタンに対応する周波数の位相を所定角度×ｎの分進めるとともに、選択信号がｎ回出力された位相遅相周波数指定ボタンに対応する周波数の位相を所定角度×ｎの分遅らせることにより変更後の位相特性を定める情報を求め、その情報に基づいて位相特性情報を求める。上記所定角度は、予め定められた値である。各位相進相周波数指定ボタン及び位相遅相周波数指定ボタンの選択信号によって得られる変更後の位相特性を定める情報は、広い間隔の周波数（前述のように例えば３１Ｈｚ、６２Ｈｚ、・・・・、８ｋＨｚ、１６ｋＨｚ）についての情報であるため、演算制御部１２では、これらの周波数のすき間の周波数に関する位相情報を補間して位相特性情報を求める。
【００７９】
さらに、演算制御部１２では、上記のようにして求めた振幅特性情報と位相特性情報とに基づき、逆ＦＦＴ等の演算を行うことによりフィルタ係数ｈｋを求め、それをＦＩＲフィルタ１１に設定する。
【００８０】
この第５構成例の操作入力部１３を用いた場合、振幅を変更したい周波数に対応する振幅増加周波数指定ボタン及び振幅減少周波数指定ボタンを押す等の簡単な操作によってＦＩＲフィルタ１１の振幅特性を変更することができる。また、位相を変更したい周波数に対応する位相進相周波数指定ボタン及び位相遅相周波数指定ボタンを押す等の簡単な操作によってＦＩＲフィルタ１１の位相特性を変更することができる。
【００８１】
（第６構成例）
図５は、第６構成例の操作入力部１３の表示画面を示す図である。
【００８２】
ここでは、操作入力部１３は、例えば、表示画面１０１を有する液晶ディスプレイと、キーボード及びマウス等を用いて構成される。
【００８３】
この図５に示された表示画面１０１の場合、その画面の左側領域に振幅特性曲線１０２等を表示する振幅特性表示領域が配置され、画面の右側領域に位相特性曲線１０３等を表示する位相特性表示領域が配置されている。
【００８４】
振幅特性表示領域の下方には、設定ポイント番号（Ｎｏ．）、中心周波数（ｆ）、周波数帯域幅（Ｑ）、中心周波数におけるゲイン（Ｇ）を指定するためのそれぞれの操作ボタン１０４ａ、１０４ｂ、１０５ａ、１０５ｂ、１０６ａ、１０６ｂ、１０７ａ、１０７ｂと、指定された値が表示されるボックス１０４、１０５、１０６、１０７とが表示されている。同様に、位相特性表示領域の下方には、設定ポイント番号（Ｎｏ．）、中心周波数（ｆ）、周波数帯域幅（Ｑ）、中心周波数における角度（Ｄ）を指定するためのそれぞれの操作ボタン１０８ａ、１０８ｂ、１０９ａ、１０９ｂ、１１０ａ、１１０ｂ、１１１ａ、１１１ｂと、指定された値が表示されるボックス１０８、１０９、１１０、１１１とが表示されている。
【００８５】
操作者は、所望の振幅特性となるように、各設定ポイント番号（例えば、１、２、３、・・・）ごとに、中心周波数、周波数帯域幅、中心周波数におけるゲインを設定する。操作者は、例えばマウスを用いて、増加ボタン１０４ａ及び減少ボタン１０４ｂをクリックすることで、ボックス１０４に表示される設定ポイント番号を増加及び減少させることができる。また、増加ボタン１０５ａ及び減少ボタン１０５ｂをクリックすることで、ボックス１０５に表示される中心周波数を増加及び減少させることができる。また、増加ボタン１０６ａ及び減少ボタン１０６ｂをクリックすることで、ボックス１０６に表示される周波数帯域幅を増加及び減少させることができる。また、増加ボタン１０７ａ及び減少ボタン１０７ｂをクリックすることで、ボックス１０７に表示されるゲインを増加及び減少させることができる。
【００８６】
操作入力部１３では、以上の操作により設定される各設定ポイント番号ごとの、中心周波数、周波数帯域幅及びゲインからなる各振幅設定情報を、演算制御部１２へ出力する。演算制御部１２では、各振幅設定情報に基づいて振幅特性情報を求める。この振幅特性情報に基づいて振幅特性曲線１０２を表示するための表示情報を作成し、操作入力部１３の表示画面１０１に振幅特性曲線１０２を表示させる。
【００８７】
また操作者は、所望の位相特性となるように、各設定ポイント番号（例えば、１、２、３、・・・）ごとに、中心周波数、周波数帯域幅、中心周波数における角度を設定する。操作者は、例えばマウスを用いて、増加ボタン１０８ａ及び減少ボタン１０８ｂをクリックすることで、ボックス１０８に表示される設定ポイント番号を増加及び減少させることができる。また、増加ボタン１０９ａ及び減少ボタン１０９ｂをクリックすることで、ボックス１０９に表示される中心周波数を増加及び減少させることができる。また、増加ボタン１１０ａ及び減少ボタン１１０ｂをクリックすることで、ボックス１１０に表示される周波数帯域幅を増加及び減少させることができる。また、増加ボタン１１１ａ及び減少ボタン１１１ｂをクリックすることで、ボックス１１１に表示される角度を増加及び減少させることができる。
【００８８】
操作入力部１３では、以上の操作により設定される各設定ポイント番号ごとの、中心周波数、周波数帯域幅及び角度からなる各位相設定情報を、演算制御部１２へ出力する。演算制御部１２では、各位相設定情報に基づいて位相特性情報を求める。この位相特性情報に基づいて位相特性曲線１０３を表示するための表示情報を作成し、操作入力部１３の表示画面１０１に位相特性曲線１０３を表示させる。
【００８９】
さらに、演算制御部１２では、求めた振幅特性情報と位相特性情報とに基づき、逆ＦＦＴ等の演算を行うことによりフィルタ係数ｈｋを求め、それをＦＩＲフィルタ１１に設定する。
【００９０】
また、設定を変更するための操作中に、その変更前の振幅特性曲線１０２ａ及び位相特性曲線１０３ａを表示しておくようにしてもよい。これにより、変更前の振幅特性及び位相特性と新たに設定しようとする振幅特性及び位相特性との比較が容易になる。
【００９１】
また、設定を変更するための操作中に、表示画面１０１の振幅特性表示領域に目標とする振幅特性曲線を表示し、位相特性表示領域に目標とする位相特性曲線を表示しておくようにしてもよい。これにより、目標とする振幅特性曲線及び目標とする位相特性曲線と重なるように振幅特性曲線及び位相特性曲線を作成することで、これらの作成が容易になる。
【００９２】
なお、振幅特性を設定するための操作ボタン（１０４ａ、１０４ｂ）、（１０５ａ、１０５ｂ）、（１０６ａ、１０６ｂ）、（１０７ａ、１０７ｂ）及び、位相特性を設定するための操作ボタン（１０８ａ、１０８ｂ）、（１０９ａ、１０９ｂ）、（１１０ａ、１１０ｂ）、（１１１ａ、１１１ｂ）に代えて、例えば図３の操作子３２、３３で示されるようなスライドバー等を用いてもよい。さらに、これらの操作ボタンやスライドバー等の操作子は、上記のように画面上に表示されるものではなく、操作者が実際に手で操作する、ハードウェアで構成されるようにしてもよい。
【００９３】
（第７構成例）
図６は、第７構成例の操作入力部１３の表示画面を示す図である。
【００９４】
この図６に示された表示画面１３１の場合、その上部領域が指定する振幅特性を示す振幅特性曲線を作成するための振幅特性描画領域であり、下部領域が指定する位相特性を示す位相特性曲線を作成するための位相特性描画領域である。
【００９５】
操作入力部１３は、例えば、表示画面１３１を有する液晶ディスプレイと、キーボード及びマウス等を用いて構成される。
【００９６】
操作入力部１３によって操作開始の指令を与えると、表示画面１３１の振幅特性描画領域において、周波数軸上の所定の周波数の位置に、予め定めた形状及び大きさの山形の振幅特性曲線１４１が表示されるとともに、位相特性描画領域においても同様に、予め定めた形状及び大きさの山形の位相特性曲線１５１が表示される。
【００９７】
振幅特性曲線１４１は、２つの操作子１４２、１４３を有している。操作子１４２は振幅特性曲線１４１の中央のピーク位置に設けられており、操作子１４３は振幅特性曲線１４１の中途の位置に設けられている。操作子１４２は、マウスによってカーソルを操作子１４２に合わせて画面の上下方向及び左右方向に移動（ドラッグ）させることができる。また、操作子１４３は、マウスによってカーソルを操作子１４３に合わせて画面の左右方向に移動（ドラッグ）させることができる。
【００９８】
操作子１４２を上下方向に移動させることで振幅特性曲線１４１のピークのゲインを調整することができる。例えば、振幅特性曲線１４１の操作子１４２を上方向にドラッグすると、例えば振幅特性曲線１４１ａで示すように相似形の状態に拡大し、マウスの釦を離すと、即ちドロップすると、その位置で拡大を停止させる。また、操作子１４２を下方にドラッグすると、図示していないが、振幅特性曲線１４１を相似形の状態で縮小する。
【００９９】
また、操作子１４２を左右方向に移動させることで振幅特性曲線１４１のピークのゲインとなる周波数（中心周波数）を変更することができる。例えば拡大された振幅特性曲線１４１ａの操作子１４２を右方向にドラッグすると、例えば振幅特性曲線１４１ｂで示すように振幅特性曲線１４１ａが水平方向に移動し、ドロップした点で移動が停止する。
【０１００】
操作子１４３を左右方向に移動させることで振幅特性曲線１４１の周波数帯域幅を変更することができる。例えば最大ゲイン及びその周波数が移動された振幅特性曲線１４１ｂの操作子１４３を右方向に向かって水平にドラッグすると、振幅特性曲線１４１ｃとして示すように、振幅特性曲線の傾きが緩やかになる。即ち、周波数帯域幅が大きくなる。また、操作子１４３を左方向にドラッグすると、振幅特性曲線１４１の傾きは急峻となる。即ち、周波数帯域幅が小さくなる。このような傾きの変更は、ドロップするまで継続する。
【０１０１】
以上のような操作によって振幅特性曲線を作成することにより、１つの設定ポイントにおける、中心周波数、周波数帯域幅及びゲインからなる振幅設定情報が決められる。また、以上のような操作を例えば複数回繰り返すことにより、例えば可聴周波数範囲における振幅特性曲線を作成（描画）し、それに対応する複数の設定ポイントの各々における、中心周波数、周波数帯域幅及び中心周波数におけるゲインからなる振幅設定情報が決められる。
【０１０２】
また、位相特性曲線１５１も、２つの操作子１５２、１５３を有している。操作子１５２は、位相特性曲線１５１の中央のピーク位置に設けられており、操作子１５３は位相特性曲線１５１の中途の位置に設けられている。操作子１５２は、マウスによってカーソルを操作子１５２に合わせて画面の上下方向及び左右方向に移動（ドラッグ）させることができる。また、操作子１５３は、マウスによってカーソルを操作子１５３に合わせて画面の左右方向に移動（ドラッグ）させることができる。
【０１０３】
操作子１５２を上下方向に移動させることで位相特性曲線１５１のピークの角度（位相）を調整することができる。例えば、位相特性曲線１５１の操作子１５２を上方向にドラッグすると、例えば位相特性曲線１５１ａで示すように相似形の状態に拡大し、ドロップすると、その位置で拡大を停止させる。また、操作子１５２を下方にドラッグすると、図示していないが、位相特性曲線１５１を相似形の状態で縮小する。
【０１０４】
また、操作子１５２を左右方向に移動させることで位相特性曲線１５１のピークの角度となる周波数（中心周波数）を変更することができる。例えば拡大された位相特性曲線１５１ａの操作子１５２を右方向にドラッグすると、例えば位相特性曲線１５１ｂで示すように位相特性曲線１５１ａが水平方向に移動し、ドロップした点で移動が停止する。
【０１０５】
操作子１５３を左右方向に移動させることで位相特性曲線１５１の周波数帯域幅を変更することができる。例えば最大角度及びその周波数が移動された位相特性曲線１５１ｂの操作子１５３を右方向に向かって水平にドラッグすると、位相特性曲線１５１ｃとして示すように、位相特性曲線の傾きが緩やかになる。即ち、周波数帯域幅が大きくなる。また、操作子１５３を左方向にドラッグすると、位相特性曲線１５１の傾きは急峻となる。即ち、周波数帯域幅が小さくなる。このような傾きの変更は、ドロップするまで継続する。
【０１０６】
以上のような操作によって位相特性曲線を作成することにより、１つの設定ポイントにおける、中心周波数、周波数帯域幅及びゲインからなる位相設定情報が決められる。また、以上のような操作を例えば複数回繰り返すことにより、例えば可聴周波数範囲における位相特性曲線を作成（描画）し、それに対応する複数の設定ポイントの各々における、中心周波数、周波数帯域幅及び中心周波数における角度からなる位相設定情報が決められる。
【０１０７】
操作入力部１３では、以上の操作により設定された各設定ポイントにおける振幅設定情報及び各設定ポイントにおける位相設定情報を、演算制御部１２へ出力する。演算制御部１２では、各振幅設定情報に基づいて振幅特性情報を求めるとともに各位相設定情報に基づいて位相特性情報を求め、求めた振幅特性情報と位相特性情報とに基づき、逆ＦＦＴ等の演算を行うことによりフィルタ係数ｈｋを求め、それをＦＩＲフィルタ１１に設定する。
【０１０８】
また、設定を変更するための操作中に、表示画面１３１の振幅特性描画領域に変更前の振幅特性曲線を表示し、位相特性描画領域に変更前の位相特性曲線を表示しておくようにしてもよい。これにより、変更前の振幅特性及び位相特性と新たに設定しようとする振幅特性及び位相特性との比較が容易になる。
【０１０９】
また、設定を変更するための操作中に、表示画面１３１の振幅特性描画領域に目標とする振幅特性曲線を表示し、位相特性描画領域に目標とする位相特性曲線を表示しておくようにしてもよい。これにより、目標とする振幅特性曲線及び目標とする位相特性曲線と重なるように振幅特性曲線及び位相特性曲線を作成することで、これらの作成が容易になる。この場合、目標とする振幅特性曲線及び目標とする位相特性曲線を表示するための情報は、例えば、演算制御部１２の記憶部に格納されている。
【０１１０】
（第８構成例）
図７は、第８構成例の操作入力部１３の表示画面を示す図である。
【０１１１】
ここでは、操作入力部１３は、例えば、表示画面１６１を有する液晶ディスプレイと、キーボード及びマウス等を用いて構成される。
【０１１２】
この図７に示された表示画面１６１の場合、それぞれ表形式の振幅特性設定ファイル及び位相特性設定ファイルが表示される。これら両方のファイルの設定ポイント番号（Ｎｏ．）は、１、２、３、・・・の順に予め表示されるようになっている。
【０１１３】
操作者は、例えばキーボード等を操作して、振幅特性設定ファイルの中心周波数（ｆ）、周波数帯域幅（Ｑ）、中心周波数におけるゲイン（Ｇ）の欄に所望の値を入力する。同様に、位相特性設定ファイルの中心周波数（ｆ）、周波数帯域幅（Ｑ）、中心周波数における角度（Ｄ）の欄に所望の値を入力する。
【０１１４】
操作入力部１３では、振幅特性設定ファイルに入力された各設定ポイント番号ごとの、中心周波数、周波数帯域幅及びゲインからなる各振幅設定情報と、位相特性設定ファイルに入力された各設定ポイント番号ごとの、中心周波数、周波数帯域幅及び角度からなる各位相設定情報とを、演算制御部１２へ出力する。演算制御部１２では、各振幅設定情報に基づいて振幅特性情報を求めるとともに、各位相設定情報に基づいて位相特性情報を求める。さらに、演算制御部１２では、求めた振幅特性情報と位相特性情報とに基づき、逆ＦＦＴ等の演算を行うことによりフィルタ係数ｈｋを求め、それをＦＩＲフィルタ１１に設定する。
【０１１５】
なお、この第８構成例では、操作入力部１３にて、振幅特性設定ファイル及び位相特性設定ファイルを作成するようにしたが、音響調整装置以外のパソコン等を用いて振幅特性設定ファイル及び位相特性設定ファイルを作成し、音響調整装置にアップロードするようにすれば、音響調整装置の操作入力部１３に表示画面１６１を表示するためのディスプレイ等を備える必要がなく、音響調整装置を簡単な構成とし、小型化できる。
【０１１６】
また、音響調整装置以外のパソコンや設定用機器において、前述の図５や図６のような表示画面を表示できる構成とし、第６、第７構成例と同様にして設定される振幅設定情報及び位相設定情報をファイル化して振幅特性設定ファイル及び位相特性設定ファイルを作成し、それらを音響調整装置にアップロードするようにしてもよい。
【０１１７】
また、演算制御部１２の記憶部に、複数の振幅特性に対応する複数の振幅特性設定ファイルの情報（複数の振幅特性特定情報）と、複数の位相特性に対応する複数の位相特性設定ファイルの情報（複数の位相特性特定情報）とを予め格納しておき、先述の第４構成例のように、操作入力部１３を、記憶部に格納されたものの中から所望の振幅特性特定情報及び位相特性特定情報を選択するように構成してもよい。この場合、演算制御部１２では、操作入力部１３の操作に応じて振幅特性特定情報と位相特性特定情報とを記憶部から読み出し、読み出した振幅特性特定情報（１または複数の振幅設定情報からなる情報）に基づいて振幅特性情報を求めるとともに、位相特性特定情報（１または複数の位相設定情報からなる情報）に基づいて位相特性情報を求め、さらに、振幅特性情報と位相特性情報とに基づいてフィルタ係数ｈｋを求め、それをＦＩＲフィルタ１１に設定する。
【０１１８】
以上、第１〜第８構成例のいずれの場合でも、設定する周波数範囲において、例えば位相特性を平坦にするためのボタン、メニュー等を設けておいてもよい。これにより平坦な位相特性（例えば設定する全周波数範囲において角度が０）の設定が容易になる。同様に、設定する周波数範囲において、例えば振幅特性を平坦にするためのボタン、メニュー等を設けておいてもよい。これにより平坦な振幅特性（設定する周波数範囲において振幅が一定）の設定が容易になる。
【０１１９】
本実施形態では、フィルタ係数の設定により振幅特性と位相特性とをそれぞれ個別的に設定することができるＦＩＲフィルタ１１を用い、そのＦＩＲフィルタ１１の振幅特性と位相特性とを個別的に設定することにより聴取者の好みや種々の用途等に応じてスピーカ４から出力される音質の調整を容易に行うことができる。特に、ある周波数の位相を遅らせる、あるいは進めることにより、スピーカ４から出力される音質の調整を行うことが可能になる。
【０１２０】
上記のように本実施形態では、音響調整にＦＩＲフィルタ１１を用いている。つまりデジタル信号処理の技術を用いている。
【０１２１】
そして、上記のような操作入力部１３を用いてＦＩＲフィルタ１１の位相特性を設定することができるようにしているので、これまでの音響調整方法では実現することのできなかったような種々の音響調整が可能となる。上記のようにＦＩＲフィルタ１１を用いているため、任意の位相特性を設定することができる。つまり、各周波数毎に任意の位相特性を持たせることができる。しかも、任意の周波数範囲においてのみ、位相特性を調整するということも可能である。例えば、１００Ｈｚから２００Ｈｚまでの周波数範囲においてのみ、入力された音声信号に対して位相の変化を施し、他の周波数範囲においては位相を変化させないようにすることもできる。
【０１２２】
また、上記のような操作入力部１３を用いてＦＩＲフィルタ１１の位相特性と振幅特性とを設定することができるようにしているので、位相特性と振幅特性の設定を、それぞれ独立して行うことができる。つまり、ＦＩＲフィルタ１１に既に設定されている振幅特性を変更させることなく、位相特性のみを既に設定されている特性（位相特性）から別の特性（位相特性）に変更させることもできる。
【０１２３】
また、これとは反対に、ＦＩＲフィルタ１１に既に設定されている位相特性を変更させることなく、振幅特性のみを既に設定されている特性（振幅特性）から別の特性（振幅特性）に変更させることもできる。
【０１２４】
さらに、ＦＩＲフィルタ１１に既に設定されている位相特性と振幅特性の両方を、別の特性に変更させることもできる。
【０１２５】
また、ＦＩＲフィルタ１１に対して、周波数によらず一定のゲインを与えるような振幅特性を設定しておき、音声信号の位相特性のみに変化を与えるように、ＦＩＲフィルタ１１の位相特性を設定することもできるし、ＦＩＲフィルタ１１に設定する位相特性を種々に変更して行くこともできる。
【０１２６】
特に、振幅を変化させずに位相を進めることにより、位相を進めた帯域の音がより強調された聞こえ方になり、かつ騒々しく聞こえなくなるなど従来では実現できなかった調整ができるようになる。さらに、振幅特性の変更と組み合わせて位相特性を変更できるため、それぞれに効果的な設定が可能となり、より複雑で自由な音響調整が可能となる。
【０１２７】
また、ある所望の位相特性を、入力される音声信号に施したいような場合は、次のようにすればよい。つまり、増幅器３やスピーカ４により構成される音響出力装置と、ＦＩＲフィルタ１１との総合の位相特性が、前記所望の位相特性と同一となるように、ＦＩＲフィルタ１１の位相特性を設定すればよいのである。より具体的に説明すると、増幅器３やスピーカ４で構成される音響出力装置の位相特性と、前記所望の位相特性との差分を、ＦＩＲフィルタ１１の位相特性として設定すればよいのである。入力される音声信号に対して、振幅特性には変化を与えず、位相特性にのみ変化を与えるようにしてもよい。また、位相特性を所望のものにすると同時に、入力される音声信号に対して所望の振幅特性を同時に施したいなら、増幅器３やスピーカ４で構成される音響出力装置の振幅特性と、前記所望の振幅特性との差分を、ＦＩＲフィルタ１１の振幅特性として設定すればよい。
【０１２８】
例えば、先述の第１構成例〜第３構成例及び第６〜第８構成例では、操作入力部１３によってＦＩＲフィルタ１１の位相特性及び振幅特性を指定するようにしたが、増幅器３やスピーカ４により構成される音響出力装置とＦＩＲフィルタ１１との総合の位相特性及び振幅特性を指定するように構成してもよい。この場合、演算制御部１２の記憶部に、音響出力装置の位相特性情報と振幅特性情報とを格納しておく。そして、演算制御部１２において、操作入力部１３によって指定された位相特性を表す情報と音響出力装置の位相特性情報との差分を求め、それをＦＩＲフィルタ１１の位相特性情報とし、表示画面上で指定された振幅特性を表す情報と音響出力装置の振幅特性情報との差分を求め、それをＦＩＲフィルタ１１の振幅特性情報とする。さらに、演算制御部１２では、上記のようにして求めたＦＩＲフィルタ１１の振幅特性情報と位相特性情報とに基づき、逆ＦＦＴ等の演算を行うことによりフィルタ係数ｈｋを求め、それをＦＩＲフィルタ１１に設定する。
【０１２９】
この場合、演算制御部１２の記憶部に記憶されている音響出力装置の位相特性情報と振幅特性情報とは、増幅器３及びスピーカ４により構成される音響出力装置の特性を、公知の測定手段で測定することによって得た情報である。演算制御部１２では、記憶部に記憶している情報の書き換えが可能であり、音響出力装置を他の音響出力装置に変更した場合に、前記他の音響出力装置の位相特性情報及び振幅特性情報を記憶部に記憶して用いればよい。この場合、例えば、操作入力部１３に、フラッシュメモリ、ＣＤ等の記録媒体の情報を読み取る読取り手段を設けておき、記録媒体から読み取った他の音響出力装置の振幅特性情報と位相特性情報を記憶部に格納（記憶）するように構成すればよい。記録媒体は、音響調整装置あるいは音響装置の製造会社等から配布されたものであってもよいし、ユーザがパソコン（パーソナルコンピュータ）を操作して音響調整装置あるいは音響装置の製造会社等のホストコンピュータから、新しい振幅特性情報と位相特性情報のファイルをダウンロードして記録媒体に記録したものであってもよい。
【０１３０】
また、先述の第４構成例では、操作入力部１３の複数の位相特性指定ボタン及び複数の振幅特性指定ボタンをＦＩＲフィルタ１１の位相特性及び振幅特性を指定（選択）するために用いるように構成したが、音響出力装置とＦＩＲフィルタ１１との総合の位相特性及び振幅特性を指定（選択）するために用いるように構成してもよい。この場合、演算制御部１２の記憶部に、複数の位相特性指定ボタン及び複数の振幅特性指定ボタンによって指定される音響出力装置とＦＩＲフィルタ１１との総合の位相特性情報及び振幅特性情報と、音響出力装置の位相特性情報及び振幅特性情報とを格納しておく。そして、演算制御部１２において、位相特性指定ボタンによって指定された位相特性情報と音響出力装置の位相特性情報との差分を求め、それをＦＩＲフィルタ１１の位相特性情報とし、振幅特性指定ボタンによって指定された振幅特性情報と音響出力装置の振幅特性情報との差分を求め、それをＦＩＲフィルタ１１の振幅特性情報とする。さらに、演算制御部１２では、上記のようにして求めたＦＩＲフィルタ１１の振幅特性情報と位相特性情報とに基づき、逆ＦＦＴ等の演算を行うことによりフィルタ係数ｈｋを求め、それをＦＩＲフィルタ１１に設定する。
【０１３１】
この場合、演算制御部１２の記憶部に記憶されている音響出力装置の位相特性情報と振幅特性情報とは、増幅器３及びスピーカ４により構成される音響出力装置の特性を、公知の測定手段で測定することによって得た情報である。演算制御部１２では、記憶部に記憶している情報の書き換えが可能であり、音響出力装置を他の音響出力装置に変更した場合に、前記他の音響出力装置の位相特性情報及び振幅特性情報を記憶部に記憶して用いればよい。また、位相特性指定ボタン及び振幅特性指定ボタンによって指定される音響出力装置とＦＩＲフィルタ１１との総合の位相特性及び振幅特性の情報も書き換えることができる。このように記憶部の情報を書き換えるための構成は、前述の場合と同様、操作入力部１３に、フラッシュメモリ、ＣＤ等の記録媒体の情報を読み取る読取り手段を設けておき、記録媒体から読み取った新しい情報を記憶部に格納（記憶）するように構成すればよい。
【０１３２】
ここで、演算制御部１２の記憶部に格納される、音響出力装置とＦＩＲフィルタ１１との総合の位相特性及び振幅特性の情報は、音響装置が用いられる各種の用途等に応じた位相特性や振幅特性の情報である。このような情報は、例えば、音響装置を用いて演説を行う場合、すなわち、入力端子ＩＮにマイクロホンからの音声信号がＡ／Ｄ変換されて入力されるように構成され、そのマイクロホンを用いて演説する場合に、演説者の話声を明瞭に聴取者に聞かせるのに適した位相特性情報や振幅特性情報がある。また、音響装置を用いて非常用の放送を行う場合、すなわち、入力端子ＩＮにＣＤプレーヤ等の記録媒体再生装置から出力されるデジタル音声信号が入力されるように構成され、非常用のアナウンスが放送される場合に、聴取者がその非常用のアナウンスの内容を聞き取りやすい等、それに適した位相特性情報や振幅特性情報がある。また、音響装置を用いて音楽（ＢＧＭ）を流す場合、すなわち、入力端子ＩＮにＣＤプレーヤ等の記録媒体再生装置から出力されるデジタル音声信号が入力されるように構成され、楽曲等が放送される場合に、その放送が耳障りにならない等、それに適した位相特性情報や振幅特性情報などがある。
【０１３３】
また、このような演算制御部１２の記憶部に格納される情報は、「スピーチ用の情報」、「音楽（ポップス）用の情報」、「音楽（ロック）用の情報」といった音源別に分類された情報として記憶されて選択されるようにしてあってもよいし、「店舗のＢＧＭ用の情報」、「音楽鑑賞用の情報」及び「街頭演説用の情報」といった用途別に分類された情報として記憶されて選択されるようにしてあってもよいし、「はっきり」、「柔らかに」といったイメージ別に分類された情報として記憶されて選択されるようにしてあってもよい。
【０１３４】
また、スピーカ４以外の他の特定のスピーカの位相特性を、音響調整装置１を用いて模擬することもできる。そのためには、スピーカ４と音響調整装置１との総合の位相特性が、前記他の特定のスピーカの位相特性と同一となるように、音響調整装置１の位相特性を設定すればよい。
【０１３５】
つまり、他の特定のスピーカの位相特性と、既設のスピーカ４の位相特性とがわかっていれば、それらのスピーカの位相特性の差分をＦＩＲフィルタ１１の位相特性として設定することにより、既設のスピーカ４にて他の特定のスピーカの位相特性を模倣することができる。ここで、振幅特性については必ずしも、他の特定のスピーカの振幅特性と既設のスピーカ４の振幅特性との差分がＦＩＲフィルタ１１の振幅特性と等しくなるように設定しなくても、他の特定のスピーカの位相特性と既設のスピーカ４の位相特性との差分がＦＩＲフィルタ１１の位相特性と等しくなるように設定することにより、既設のスピーカ４にて他の特定のスピーカをある程度模倣することができる。
【０１３６】
なお、他の特定のスピーカの振幅特性と、既設のスピーカ４の振幅特性とがわかっている場合に、それらのスピーカの振幅特性の差分をＦＩＲフィルタ１１の振幅特性として設定して、既設のスピーカ４にて他の特定のスピーカの位相特性のみならず、振幅特性も併せて模倣するようにしてもよい。
【０１３７】
演算制御部１２は、前述のように記憶部を有しており、ここにスピーカの周波数特性情報等を格納することができるようになっている。
【０１３８】
演算制御部１２の記憶部には、スピーカ４の位相特性情報と振幅特性情報とが格納されている。この位相特性情報と振幅特性情報とは、スピーカ４の特性を、公知の測定手段で測定することによって得た情報である。
【０１３９】
また、スピーカ４ではない、他の特定のスピーカの位相特性情報と振幅特性情報も、演算制御部１２の記憶部に格納されている。この位相特性情報と振幅特性情報も、該他の特定のスピーカの特性を、公知の測定手段で測定することによって得た情報である。
【０１４０】
このように演算制御部１２は、ＦＩＲフィルタ１１とスピーカ４とによって、他の特定のスピーカの位相特性や振幅特性を模擬するのに必要な情報を、全て有している。そして、これらの情報から、演算制御部１２が、ＦＩＲフィルタ１１に設定すべき位相特性情報や振幅特性情報を算出し、さらにフィルタ係数を算出し、ＦＩＲフィルタ１１に設定することによって、既設のスピーカ４にて他の特定のスピーカを模倣することができる。この場合、他の特定のスピーカの位相特性や振幅特性を模擬するのに必要な情報を、演算制御部１２の記憶部に予め格納しておくことにより、操作入力部１３を用いることなく、すなわち、操作入力部１３が無い構成であっても、既設のスピーカ４にて他の特定のスピーカを模倣することが可能である。また、演算制御部１２の記憶部に、上記のＦＩＲフィルタ１１に設定すべき位相特性情報や振幅特性情報に基づいて算出できるフィルタ係数を予め記憶しておけば、演算制御部１２ではそのフィルタ係数をＦＩＲフィルタ１１に設定するだけで、既設のスピーカ４にて他の特定のスピーカを模倣することができる。
【０１４１】
以上に述べたように、演算制御部１２の記憶部には、スピーカの特性の情報や、音響装置の各種の用途に応じた所望の特性（位相特性や振幅特性）の情報を格納することができる。例えば、音響装置を用いて演説を行う場合は、演説者の音声が聴取者に明瞭に聞こえることが重要である。話声を明瞭に聴取者に聞かせるのに適した位相特性情報や振幅特性情報を演算制御部１２の記憶部に格納しておけば、音響装置の用途（演目）に応じた位相特性や振幅特性をＦＩＲフィルタ１１に設定することができる。演算制御部１２の記憶部に、例えば、話声を明瞭に聞かせるのに適した位相特性情報や振幅特性情報と、増幅器３やスピーカ４により構成される音響出力装置の位相特性情報や振幅特性情報とを予め格納しておけば、話声を明瞭に聞かせるのに適した位相特性や振幅特性が、ＦＩＲフィルタ１１と音響出力装置との総合された位相特性や振幅特性によって実現されるように、演算制御部１２が、ＦＩＲフィルタ１１に設定すべき位相特性情報や振幅特性情報を算出し、さらにフィルタ係数を算出し、ＦＩＲフィルタ１１に設定することによって、話声を明瞭に聞かせるのに適した位相特性や振幅特性を実現することができる。この場合、話声を明瞭に聞かせるのに適した位相特性や振幅特性を実現するのに必要な情報を、演算制御部１２の記憶部に予め格納しておくことにより、操作入力部１３を用いることなく、すなわち、操作入力部１３が無い構成であっても、話声を明瞭に聞かせるのに適した位相特性や振幅特性を実現することが可能である。また、演算制御部１２の記憶部に、上記のＦＩＲフィルタ１１に設定すべき位相特性情報や振幅特性情報に基づいて算出できるフィルタ係数を予め記憶しておけば、演算制御部１２ではそのフィルタ係数をＦＩＲフィルタ１１に設定するだけで、話声を明瞭に聞かせるのに適した位相特性や振幅特性を実現することができる。同様に、音響装置を用いて非常用の放送を行う場合や、音響装置を用いて音楽（ＢＧＭ）を流す場合なども、それぞれの場合に適した位相特性情報や振幅特性情報を演算制御部１２の記憶部に格納しておけば、音響装置の用途に応じた位相特性や振幅特性をＦＩＲフィルタ１１に設定することができる。
【０１４２】
なお、上記の実施形態において、音響調整装置１にＤ／Ａ変換器２を含めてもよい。また、入力端子ＩＮにアナログ音声信号が入力される場合には、入力端子ＩＮとＦＩＲフィルタ１１との間にＡ／Ｄ（アナログ／デジタル）変換器を挿入すればよいが、このＡ／Ｄ変換器を音響調整装置１に含めてもよい。
【０１４３】
また、音響調整装置１において、ＦＩＲフィルタ１１に入出力される音声信号の振幅特性を変化させずに、位相特性のみを調整するように構成してもよい。この場合、操作入力部１３において、ＦＩＲフィルタ１１の振幅特性を調整するための構成は不要である。
【０１４４】
〔第２の実施形態；音響装置〕
図８は、本発明の第２の実施形態の音響装置の構成を示すブロック図である。なお、図８に２点鎖線で示された筐体６及び外部出力端子ＯＵＴは、後述の第３の実施形態に関するものであり、第２の実施形態では存在しないものである。
【０１４５】
この音響装置は、所謂、アンプ内蔵スピーカであるスピーカ装置に音響調整装置１を内蔵したものであり、筐体５内に、フィルタ装置である音響調整装置１と、音響調整装置１に接続されたＤ／Ａ（デジタル／アナログ）変換器２と、音響調整装置１の後段にＤ／Ａ変換器２を介して接続された音響出力装置とが備えられている。
【０１４６】
音響出力装置には、Ｄ／Ａ変換器２に接続された増幅器３と、増幅器３に接続されたスピーカ４とが備えられている。
【０１４７】
音響調整装置１には、ＦＩＲ（有限インパルス応答）フィルタ１１と、フィルタ係数設定手段として機能する演算制御部１２と、変更特性指定手段等として機能する操作入力部１３とが備えられている。この音響調整装置１のＦＩＲフィルタ１１が、音響装置の外部入力端子ＩＮとＤ／Ａ変換器２とを接続する信号線の途中に挿入されている。なお、操作入力部１３は、図８では筐体５の内側に示されているが、その一部あるいは全部が筐体５の外部に露出して操作者が操作を行えるようになっている。
【０１４８】
ＦＩＲフィルタ１１では、デジタル信号処理が行われ、例えばマイクロホンから出力されるアナログ音声信号がＡ／Ｄ変換されたデジタル音声信号、あるいはＣＤプレーヤ等の記録媒体再生装置から出力されるデジタル音声信号が、音響装置の外部入力端子ＩＮを介して入力される。ＦＩＲフィルタ１１にて所定の処理（フィルタリング）が施された信号は、Ｄ／Ａ変換器２に入力されてアナログ信号に変換され、さらに増幅器３によって電力増幅されてスピーカ４へ出力され、スピーカ４から拡声音（音響信号）として出力される。
【０１４９】
上記音響調整装置１は、第１の実施形態の音響調整装置と同様の構成である。したがって、本実施形態の音響装置では、第１の実施形態と同様の効果が得られ、フィルタ係数の設定により振幅特性と位相特性とをそれぞれ個別的に設定することができるＦＩＲフィルタ１１を用い、そのＦＩＲフィルタ１１の振幅特性と位相特性とを個別的に設定することにより、聴取者の好みや種々の用途等に応じてスピーカ４から出力される音質の調整を容易に行うことができる。特に、ある周波数の位相を遅らせる、あるいは進めることにより、スピーカ４から出力される音質の調整を行うことが可能になる。
【０１５０】
以上に述べた第２の実施形態では、アンプ内蔵スピーカに音響調整装置１を内蔵した構成について説明したが、これ以外でも以下の第３〜第６の実施形態に述べるように、種々の音響装置に第１の実施形態の音響調整装置１を内蔵することができる。
【０１５１】
〔第３の実施形態；音響装置〕
第３の実施形態の音響装置は、所謂、アンプに音響調整装置１を内蔵した構成である。この構成は、図８において、筐体５を無くし、２点鎖線で示された筐体６及び外部出力端子ＯＵＴを設けた構成である。
【０１５２】
この音響装置は、筐体６内に、フィルタ装置である音響調整装置１と、Ｄ／Ａ変換器２と、増幅器３とを備えている。そして、この場合、音響装置の後段に、音響出力装置としてスピーカ４が接続されている。すなわち、増幅器３から出力される音声信号は外部出力端子ＯＵＴを介してスピーカ４へ入力される。各々の構成要素については、第２の実施形態で述べた通りであり、詳しい説明を省略する。
【０１５３】
〔第４の実施形態；音響装置〕
図９は、本発明の第４の実施形態の音響装置の構成を示すブロック図である。
【０１５４】
この音響装置は、拡声器に音響調整装置１を内蔵したものであり、筐体７内に、マイクロホン５１と、Ａ／Ｄ変換器５２と、フィルタ装置である音響調整装置１と、Ｄ／Ａ変換器２と、増幅器３とを備えている。マイクロホン５１では、外部から入力される音響信号を音声信号に変換して出力し、この出力された音声信号は、Ａ／Ｄ変換器５２においてデジタル信号に変換されて音響調整装置１へ入力される。音響調整装置１、Ｄ／Ａ変換器２、増幅器３及びスピーカ４は図８と同様の機能を有するものであり、詳しい説明を省略する。
【０１５５】
〔第５の実施形態；音響装置〕
図１０は、本発明の第５の実施形態の音響装置の構成を示すブロック図である。
【０１５６】
この音響装置は、ワイヤレスチューナに音響調整装置１を内蔵したものであり、筐体８内に、受信回路６１と、復調回路６２と、フィルタ装置である音響調整装置１と、Ｄ／Ａ変換器２とを備えている。そして、図１０の場合には、音響装置の後段に、音響出力装置として増幅器３及びスピーカ４が接続され、この音響装置の出力音声信号は外部出力端子６３から増幅器３へ入力される。受信回路６１では、例えばワイヤレスマイクロホンからの電波をアンテナ（図示せず）を介して受信し、電気信号に変換して出力する。この電気信号は復調回路６２にて音声信号に復調されて音響調整装置１へ入力される。音響調整装置１、Ｄ／Ａ変換器２、増幅器３及びスピーカ４は図８と同様の機能を有するものであり、詳しい説明を省略する。
【０１５７】
〔第６の実施形態；音響装置〕
図１１は、本発明の第６の実施形態の音響装置の構成を示すブロック図である。
【０１５８】
この音響装置は、オーディオミキサに音響調整装置１を内蔵したものであり、筐体９内に、合成回路７１と、フィルタ装置である音響調整装置１と、Ｄ／Ａ変換器２とを備えている。そして、図１１の場合には、音響装置の後段に、音響出力装置として増幅器３及びスピーカ４が接続され、この音響装置の出力音声信号は外部出力端子７３から増幅器３へ入力される。複数の外部入力端子７２には、それぞれ外部機器が接続され、音声信号が入力される。例えば、マイクロホンからの音声信号、ＣＤプレーヤ等の記録媒体再生装置からの音声信号などが、外部入力端子７２へ入力される。合成回路７１では、これらの外部入力端子７２から入力された信号を合成（加算）して、音響調整装置１へ出力する。音響調整装置１、Ｄ／Ａ変換器２、増幅器３及びスピーカ４は図８と同様の機能を有するものであり、詳しい説明を省略する。
【０１５９】
なお、図１１では、合成回路７１の後段に音響調整装置１を設けているが、後段には設けずに、合成回路７１の前段、すなわち各々の外部入力端子７２と合成回路７１とのそれぞれの間に設けた構成とすることも可能である。
【０１６０】
以上に述べた、第２〜第６の実施形態においても、音響調整装置１の構成として、第１の実施形態で述べた種々の構成を用いることができ、第１の実施形態で述べた効果を得ることができる。なお、位相特性及び振幅特性の指定方法、操作方法及び表示方法等については、第１の実施形態で説明した方法により実現することができる。
【０１６１】
さらに、表示部および操作入力部は、第２〜第６の各実施形態における音響装置に設けても良いし、外部装置（例えばパーソナルコンピュータや設定用の装置）により構成しても良い。外部装置により構成した場合は、音響装置に表示部や操作入力部を設けなくて良いため安価かつコンパクトな構成が可能になるという利点がある。また、遠隔操作により設定を可能とすることができ、建物へ音響装置が設置された後などにも容易に設定を変更することができるという効果が生じる。
【０１６２】
〔第７の実施形態；音声編集プログラム〕
図１２（ａ）は、本発明の第７の実施形態の音声編集プログラムを実行する音声編集装置の構成を示すブロック図であり、図１２（ｂ）は、音声編集装置で作成された音声ファイルを再生出力する音響装置の一例を示す図である。
【０１６３】
この音声編集装置は、編集処理部１０と、操作入力部１３と、データ読出し部(データ抽出手段)１４と、データ書込み部（ファイル作成手段）１７とを備えたコンピュータで構成されている。編集処理部１０には、ＣＰＵ、ＲＯＭ及びＲＡＭ等が内蔵されており、例えばＲＯＭに音声編集プログラムが記憶されており、ＣＰＵがその音声編集プログラムを実行することにより、ＦＩＲフィルタ（フィルタ手段）１１及び演算制御部１２等として機能する。また、第１のメモリ１５及び第２のメモリ１６は、それぞれ例えばＲＡＭ内の所定の記憶領域によって構成される。図１２（ａ）では、編集処理部１０の内部構成は機能的な構成を示している。演算制御部１２は、操作入力部１３の操作に基づいてＦＩＲフィルタ１１にそのフィルタ係数を設定及び変更するフィルタ特性変更手段として機能する他、音声編集装置全体の動作を制御する。なお、音声編集プログラムは、１つのＣＰＵにより処理されるものであってもよいし、複数のＣＰＵによって分散処理されるものであってもよい。
【０１６４】
データ読出し部１４は、第１のファイル形式の音声ファイル（第１の音声ファイル）が記録されたフラッシュメモリ等の記録媒体から音声波形データを抽出して読み出すための読出し装置によって構成され、このデータ読出し部１４によって読み出された音声波形データは、第１のメモリ１５に記憶される。
【０１６５】
ＦＩＲフィルタ１１では、第１のメモリ１５に記憶されている音声波形データを順次入力して、フィルタ処理を施して第２のメモリ１６へ出力する。第２のメモリには、フィルタ処理が施された音声波形データが順次入力されて記憶される。
【０１６６】
データ書込み部１７は、第２のメモリ１６に記憶されている音声波形データを順次読み出し、その音声波形データにヘッダ情報を付加した第２のファイル形式の音声ファイル（第２の音声ファイル）としてフラッシュメモリ等の記録媒体へ書き込む書込み装置である。
【０１６７】
音声ファイルは、周知のように、ファイル形式等に応じたヘッダ情報と音声波形データとで構成されている。例えば、上記の第１のファイル形式がＷＡＶＥ形式であり、第２のファイル形式もＷＡＶＥ形式である。また、第２のファイル形式をＭＰ３形式としてもよい。また、第１のファイル形式がＭＰ３形式の場合、すなわち、データ読出し部１４で読み出されるデータがＭＰ３形式で記録されている場合には、データ読出し部１４では、ＰＣＭ（Pulse Code Modulation）のデータに展開した後、音声波形データを抽出して第１のメモリ１５に記憶させるようにすればよい。
【０１６８】
フィルタ長がＮ＋１であるＮ次のＦＩＲフィルタ１１では、その出力ｙｎを、フィルタ係数ｈｋと、入力ｘｎ−ｋとを用いて、周知の数１の演算を行って算出する。
【０１６９】
【数１】
0005498563.tif 000002
このようなＦＩＲフィルタ１１では、フィルタ係数ｈｋを設定することによって振幅周波数特性（振幅特性）と位相周波数特性（位相特性）とが設定される。
【０１７０】
演算制御部１２は、操作入力部１３の操作に応じたフィルタ係数ｈｋを導き出してＦＩＲフィルタ１１に設定する。後述の第１〜第３構成例の場合には、演算制御部１２は、操作入力部１３の操作によって指定された振幅特性及び位相特性に応じたフィルタ係数ｈｋを算出し、ＦＩＲフィルタ１１に設定する。この場合、その周波数特性（振幅特性及び位相特性）の情報を逆高速フーリエ変換（逆ＦＦＴ）等を行うことによってフィルタ係数ｈｋを求めることができる。
【０１７１】
操作入力部１３では、操作者によって、例えばＦＩＲフィルタ１１に設定される振幅特性及び位相特性を指定するための操作が行われる。操作入力部１３は、後述の第１〜第３構成例の場合には、例えば、液晶ディスプレイとペンタブレットとを統合した液晶ペンタブレット等を用いて構成される。この場合、振幅特性と位相特性を入力するための表示画面が表示され、ポインティングデバイスとしてスタイラスペンを用いる。
【０１７２】
図１３は、編集処理部１０のＣＰＵが音声編集プログラムを実行することによって実現される音声編集装置の動作を示すフローチャートである。
【０１７３】
まず、ステップＳ１では、操作入力部１３の操作により指定されたＦＩＲフィルタ１１の振幅特性及び位相特性を設定する。
【０１７４】
次に、ステップＳ２では、データ読出し部１４が第１の音声ファイルが格納されているフラッシュメモリ等の既存の記録媒体からその音声波形データを順次抽出して第１のメモリ１５へ出力する。第１のメモリ１５ではデータ読出し部１４から出力される音声波形データを記憶する。
【０１７５】
次に、ステップＳ３では、第１のメモリ１５に記憶している音声波形データを順次、ＦＩＲフィルタ１１へ入力させ、ＦＩＲフィルタ１１にてフィルタ処理が施された音声波形データを第２のメモリ１６に順次記憶させる。
【０１７６】
次に、ステップＳ４では、データ書込み部１７が第２のメモリ１６から音声波形データを順次読みだし、ヘッダ情報を付加した第２の音声ファイルを作成し、記録媒体に書き込む。
【０１７７】
この記録媒体に記録されている第２の音声ファイルは、例えば、図１２（ｂ）に示される音響装置によって再生出力することができる。
【０１７８】
この音響装置は、第２の音声ファイルを再生する記録媒体再生装置１８と、この記録媒体再生装置１８の後段に接続された音響出力装置とが備えられている。音響出力装置には、記録媒体再生装置１８に接続された増幅器３と、増幅器３に接続されたスピーカ４とが備えられている。記録媒体再生装置１８で再生された第２の音声ファイルの音声信号（この場合はアナログ音声信号）は、増幅器３によって電力増幅されてスピーカ４へ出力され、スピーカ４から拡声音（音響信号）として出力される。記録媒体再生装置１８は、例えばデジタルオーディオプレーヤや、パソコン（パーソナルコンピュータ）にインストールされている音楽再生用のアプリケーションソフトウェアによって実現されるものである。
【０１７９】
以下、各構成例について述べるが、各構成例では、操作入力部１３及び演算制御部１２の構成及び機能が異なり、他の部分については同じである。
【０１８０】
なお、本実施形態において、フィルタ係数の設定・変更は、フィルタリング処理を実現するための演算に用いるフィルタ係数としての数値を設定・変更することである。また、音声編集プログラムは、前述の編集処理部１０の動作のみならず、操作入力部１３の動作をも実現するためのプログラムとして構成される。
【０１８１】
（第１構成例）
本実施形態における第１構成例の操作入力部１３及びそれに対応する演算制御部１２の機能は、第１の実施形態における第１構成例と同様であり、詳しい説明は省略する。
【０１８２】
すなわち、本実施形態における第１構成例の場合の操作入力部１３も、図３に示す表示画面３１を有し、操作者は、表示画面上で所望するＦＩＲフィルタ１１の振幅特性と位相特性とを容易に指定することが可能になる。
【０１８３】
（第２、第３構成例）
本実施形態における第２、第３構成例の操作入力部１３及びそれに対応する演算制御部１２の機能は、第１の実施形態における第２、第３構成例と同様であり、詳しい説明は省略する。
【０１８４】
すなわち、本実施形態における第２、第３構成例の場合の操作入力部１３も、図４に示す表示画面４１を有し、操作者は、表示画面上で所望するＦＩＲフィルタ１１の振幅特性と位相特性とを容易に指定することが可能になる。
【０１８５】
（第４構成例）
次に、第４構成例について説明する。この第４構成例では、演算制御部１２には、例えばＲＡＭの所定の領域によって構成される記憶部を有しており、ここにＦＩＲフィルタ１１に関する複数の振幅特性情報と複数の位相特性情報とを予め格納（記憶）しておく。そして、操作入力部１３を操作することによって、記憶部に格納されたものの中から所望の振幅特性情報及び位相特性情報を選択するように構成されている。この第４構成例の場合の操作入力部１３には、例えば、複数の振幅特性のそれぞれに対応する振幅特性指定ボタン及び複数の位相特性のそれぞれに対応する位相特性指定ボタンが設けられている。これらの指定ボタンは、押しボタン式等の実際に人間の手で選択操作するものであってもよいし、タッチパネルに表示され、指やスタイラスペンで触れることにより選択されるものであってもよく、いずれの場合も振幅特性及び位相特性を指定するための操作が容易である。操作入力部１３では、選択された振幅特性指定ボタンに対応する振幅特性の選択信号と、選択された位相特性指定ボタンに対応する位相特性の選択信号とを演算制御部１２へ出力する。演算制御部１２では、それぞれの選択信号に対応する振幅特性情報と位相特性情報とを記憶部から読み出し、それらの振幅特性情報と位相特性情報とに基づき、逆ＦＦＴ等の演算を行うことによりフィルタ係数ｈｋを求め、それをＦＩＲフィルタ１１に設定する。
【０１８６】
また、上記の第４構成例において、演算制御部１２内の記憶部の記憶している情報の書き換えができるように操作入力部１３を構成しておいてもよい。例えば、演算制御部１２の記憶部には、増幅器３やスピーカ４により構成される音響出力装置に応じたＦＩＲフィルタ１１の振幅特性情報と位相特性情報とが記憶されている場合に、音響出力装置を他の音響出力装置に変更した場合に、前記他の音響出力装置に応じたＦＩＲフィルタ１１の位相特性情報及び振幅特性情報に書き換えるようにすればよい。この場合、操作入力部１３に、フラッシュメモリ、ＣＤ等の記録媒体の情報を読み取る読取り手段を設けておき、記録媒体から読み取った新しい振幅特性情報と位相特性情報を記憶部に格納（記憶）するように構成すればよい。記録媒体は、音声編集装置あるいは音響装置の製造会社等から配布されたものであってもよいし、ユーザがパソコン（パーソナルコンピュータ）を操作して音声編集装置あるいは音響装置の製造会社等のホストコンピュータから、新しい振幅特性情報と位相特性情報のファイルをダウンロードして記録媒体に記録したものであってもよい。なお、音声編集装置が上記のパソコンで構成される場合には、前述のダウンロードしたファイルはパソコン内の記憶部に格納しておけばよい。
【０１８７】
（第５構成例）
次に、第５構成例について説明する。この第５構成例では、操作入力部１３には、例えば、ＦＩＲフィルタ１１の初期状態（例えばゲインが０）あるいは直前に設定された振幅特性から、予め設定された複数の周波数の各々におけるゲインを増加するための振幅増加周波数指定ボタン及びゲインを減少するための振幅減少周波数指定ボタンが各周波数に対応して設けられているとともに、ＦＩＲフィルタ１１の初期状態（例えば位相が０）あるいは直前に設定された位相特性から、予め設定された複数の周波数の各々における位相を進めるための位相進相周波数指定ボタン及び位相を遅らせるための位相遅相周波数指定ボタンが各周波数に対応して設けられている。この操作入力部１３及びそれに対応する演算制御部１２の機能は、第１の実施形態における第５構成例と同様であり、詳しい説明は省略する。
【０１８８】
この第５構成例の操作入力部１３を用いた場合、振幅を変更したい周波数に対応する振幅増加周波数指定ボタン及び振幅減少周波数指定ボタンを押す等の簡単な操作によってＦＩＲフィルタ１１の振幅特性を変更することができる。また、位相を変更したい周波数に対応する位相進相周波数指定ボタン及び位相遅相周波数指定ボタンを押す等の簡単な操作によってＦＩＲフィルタ１１の位相特性を変更することができる。
【０１８９】
（第６〜第８構成例）
本実施形態における第６〜第８構成例の操作入力部１３及びそれに対応する演算制御部１２の機能は、第１の実施形態における第６〜第８構成例と同様であり、詳しい説明は省略する。
【０１９０】
本実施形態では、フィルタ係数の設定により振幅特性と位相特性とをそれぞれ個別的に設定することができるＦＩＲフィルタ１１を用い、そのＦＩＲフィルタ１１の振幅特性と位相特性とを個別的に設定することにより、聴取者の好みや種々の用途等に応じてスピーカ４から出力されるときの音質の調整が行われた音声ファイルを作成することが可能になる。特に、ある周波数の位相を遅らせる、あるいは進めることにより、スピーカ４から出力されるときの音質の調整が行われた音声ファイルを作成することが可能になる。
【０１９１】
上記のように本実施形態では、音声データの編集処理にＦＩＲフィルタ１１を用いている。つまりデジタル信号処理の技術を用いている。
【０１９２】
そして、上記のような操作入力部１３を用いてＦＩＲフィルタ１１の位相特性を設定することができるようにしているので、これまでの音響調整方法では実現することのできなかったような種々の音質の調整が行われた音声ファイルを作成することが可能になる。上記のようにＦＩＲフィルタ１１を用いているため、任意の位相特性を設定することができる。つまり、各周波数毎に任意の位相特性を持たせることができる。しかも、任意の周波数範囲においてのみ、位相特性を調整するということも可能である。例えば、１００Ｈｚから２００Ｈｚまでの周波数範囲においてのみ、音声信号に対して位相の変化を施し、他の周波数範囲においては位相を変化させないようにすることもできる。
【０１９３】
また、上記のような操作入力部１３を用いてＦＩＲフィルタ１１の位相特性と振幅特性とを設定することができるようにしているので、位相特性と振幅特性の設定を、それぞれ独立して行うことができる。つまり、ＦＩＲフィルタ１１に既に設定されている振幅特性を変更させることなく、位相特性のみを既に設定されている特性（位相特性）から別の特性（位相特性）に変更させることもできる。
【０１９４】
また、これとは反対に、ＦＩＲフィルタ１１に既に設定されている位相特性を変更させることなく、振幅特性のみを既に設定されている特性（振幅特性）から別の特性（振幅特性）に変更させることもできる。
【０１９５】
さらに、ＦＩＲフィルタ１１に既に設定されている位相特性と振幅特性の両方を、別の特性に変更させることもできる。
【０１９６】
また、ＦＩＲフィルタ１１に対して、周波数によらず一定のゲインを与えるような振幅特性を設定しておき、音声信号の位相特性のみに変化を与えるように、ＦＩＲフィルタ１１の位相特性を設定することもできる。
【０１９７】
特に、振幅を変化させずに位相を進めることにより、位相を進めた帯域の音がより強調された聞こえ方になり、かつ騒々しく聞こえなくなるなど従来では実現できなかった調整ができるようになる。さらに、振幅特性の変更と組み合わせて位相特性を変更できるため、それぞれに効果的な設定が可能となり、より複雑で自由な音質の調整が行われた音声ファイルを作成することが可能になる。
【０１９８】
また、ある所望の位相特性を、音声信号に施したいような場合は、次のようにすればよい。つまり、例えば増幅器３やスピーカ４により構成される音響出力装置と、ＦＩＲフィルタ１１との総合の位相特性が、前記所望の位相特性と同一となるように、ＦＩＲフィルタ１１の位相特性を設定すればよいのである。より具体的に説明すると、増幅器３やスピーカ４で構成される音響出力装置の位相特性と、前記所望の位相特性との差分を、ＦＩＲフィルタ１１の位相特性として設定すればよいのである。また、音声信号に対して、振幅特性には変化を与えず、位相特性にのみ変化を与えるようにしてもよい。また、位相特性を所望のものにすると同時に、音声信号に対して所望の振幅特性を施したい場合には、増幅器３やスピーカ４で構成される音響出力装置の振幅特性と、前記所望の振幅特性との差分を、ＦＩＲフィルタ１１の振幅特性として設定すればよい。
【０１９９】
例えば、先述の第１構成例〜第３構成例では、操作入力部１３の表示画面上で、ＦＩＲフィルタ１１の位相特性及び振幅特性を指定するようにしたが、表示画面上で、例えば増幅器３やスピーカ４により構成される音響出力装置とＦＩＲフィルタ１１との総合の位相特性及び振幅特性を指定するように構成してもよい。この場合、演算制御部１２の記憶部に、音響出力装置の位相特性情報と振幅特性情報とを格納しておく。そして、演算制御部１２において、表示画面上で指定された位相特性を表す情報と音響出力装置の位相特性情報との差分を求め、それをＦＩＲフィルタ１１の位相特性情報とし、表示画面上で指定された振幅特性を表す情報と音響出力装置の振幅特性情報との差分を求め、それをＦＩＲフィルタ１１の振幅特性情報とする。さらに、演算制御部１２では、上記のようにして求めたＦＩＲフィルタ１１の振幅特性情報と位相特性情報とに基づき、逆ＦＦＴ等の演算を行うことによりフィルタ係数ｈｋを求め、それをＦＩＲフィルタ１１に設定する。
【０２００】
この場合、演算制御部１２の記憶部に記憶されている音響出力装置の位相特性情報と振幅特性情報とは、増幅器３及びスピーカ４により構成される音響出力装置の特性を、公知の測定手段で測定することによって得た情報である。演算制御部１２では、記憶部に記憶している情報の書き換えが可能であり、音響出力装置を他の音響出力装置に変更した場合に、前記他の音響出力装置の位相特性情報及び振幅特性情報を記憶部に記憶して用いればよい。この場合、例えば、操作入力部１３に、フラッシュメモリ、ＣＤ等の記録媒体の情報を読み取る読取り手段を設けておき、記録媒体から読み取った他の音響出力装置の振幅特性情報と位相特性情報を記憶部に格納（記憶）するように構成すればよい。記録媒体は、音声編集装置あるいは音響装置の製造会社等から配布されたものであってもよいし、ユーザがパソコン（パーソナルコンピュータ）を操作して音声編集装置あるいは音響装置の製造会社等のホストコンピュータから、新しい振幅特性情報と位相特性情報のファイルをダウンロードして記録媒体に記録したものであってもよい。なお、音声編集装置が上記のパソコンで構成される場合には、前述のダウンロードしたファイルはパソコン内の記憶部に格納しておけばよい。
【０２０１】
また、先述の第４構成例では、操作入力部１３の複数の位相特性指定ボタン及び複数の振幅特性指定ボタンをＦＩＲフィルタ１１の位相特性及び振幅特性を指定するために用いるように構成したが、音響出力装置とＦＩＲフィルタ１１との総合の位相特性及び振幅特性を指定するために用いるように構成してもよい。この場合、演算制御部１２の記憶部に、複数の位相特性指定ボタン及び複数の振幅特性指定ボタンによって指定される音響出力装置とＦＩＲフィルタ１１との総合の位相特性情報及び振幅特性情報と、音響出力装置の位相特性情報及び振幅特性情報とを格納しておく。そして、演算制御部１２において、位相特性指定ボタンによって指定された位相特性情報と音響出力装置の位相特性情報との差分を求め、それをＦＩＲフィルタ１１の位相特性情報とし、振幅特性指定ボタンによって指定された振幅特性情報と音響出力装置の振幅特性情報との差分を求め、それをＦＩＲフィルタ１１の振幅特性情報とする。さらに、演算制御部１２では、上記のようにして求めたＦＩＲフィルタ１１の振幅特性情報と位相特性情報とに基づき、逆ＦＦＴ等の演算を行うことによりフィルタ係数ｈｋを求め、それをＦＩＲフィルタ１１に設定する。
【０２０２】
この場合、演算制御部１２の記憶部に記憶されている音響出力装置の位相特性情報と振幅特性情報とは、増幅器３及びスピーカ４により構成される音響出力装置の特性を、公知の測定手段で測定することによって得た情報である。演算制御部１２では、記憶部に記憶している情報の書き換えが可能であり、音響出力装置を他の音響出力装置に変更した場合に、前記他の音響出力装置の位相特性情報及び振幅特性情報を記憶部に記憶して用いればよい。また、位相特性指定ボタン及び振幅特性指定ボタンによって指定される音響出力装置とＦＩＲフィルタ１１との総合の位相特性及び振幅特性の情報も書き換えることができる。このように記憶部の情報を書き換えるための構成は、前述の場合と同様、例えば操作入力部１３に、フラッシュメモリ、ＣＤ等の記録媒体の情報を読み取る読取り手段を設けておき、記録媒体から読み取った新しい情報を記憶部に格納（記憶）するように構成すればよい。
【０２０３】
ここで、演算制御部１２の記憶部に格納される、音響出力装置とＦＩＲフィルタ１１との総合の位相特性及び振幅特性の情報は、音響装置が用いられる各種の用途に応じた位相特性や振幅特性の情報である。このような情報としては、例えば、音響装置を用いて非常用のアナウンスの放送を行う場合、すなわち、非常用のアナウンスが録音されているフラッシュメモリ等の記録媒体を記録媒体再生装置にて再生して非常用のアナウンスが放送される場合に、聴取者がその非常用のアナウンスの内容を聞き取りやすい等、それに適した位相特性情報や振幅特性情報がある。また、音響装置を用いて音楽（ＢＧＭ）を流す場合、すなわち、楽曲等が録音されているフラッシュメモリ等の記録媒体を記録媒体再生装置にて再生して楽曲等が放送される場合に、その放送が耳障りにならない等、それに適した位相特性情報や振幅特性情報などがある。
【０２０４】
また、スピーカ４以外の他の特定のスピーカの位相特性を、音声編集装置で作成された音声ファイルとスピーカ４とを用いて模擬することもできる。そのためには、スピーカ４と音声編集装置との総合の位相特性が、前記他の特定のスピーカの位相特性と同一となるように、音声編集装置の位相特性を設定すればよい。
【０２０５】
つまり、他の特定のスピーカの位相特性と、既設のスピーカ４の位相特性とがわかっていれば、それらのスピーカの位相特性の差分をＦＩＲフィルタ１１の位相特性として設定することにより、既設のスピーカ４にて他の特定のスピーカの位相特性を模倣することができる。ここで、振幅特性については必ずしも、他の特定のスピーカの振幅特性と既設のスピーカ４の振幅特性との差分がＦＩＲフィルタ１１の振幅特性と等しくなるように設定しなくても、他の特定のスピーカの位相特性と既設のスピーカ４の位相特性との差分がＦＩＲフィルタ１１の位相特性と等しくなるように設定することにより、既設のスピーカ４にて他の特定のスピーカをある程度模倣することができる。
【０２０６】
なお、他の特定のスピーカの振幅特性と、既設のスピーカ４の振幅特性とがわかっている場合に、それらのスピーカの振幅特性の差分をＦＩＲフィルタ１１の振幅特性として設定して、既設のスピーカ４にて他の特定のスピーカの位相特性のみならず、振幅特性も併せて模倣するようにしてもよい。
【０２０７】
演算制御部１２は、前述のように記憶部を有しており、ここにスピーカの周波数特性情報等を格納することができるようになっている。
【０２０８】
演算制御部１２の記憶部には、スピーカ４の位相特性情報と振幅特性情報とが格納されている。この位相特性情報と振幅特性情報とは、スピーカ４の特性を、公知の測定手段で測定することによって得た情報である。
【０２０９】
また、スピーカ４ではない、他の特定のスピーカの位相特性情報と振幅特性情報も、演算制御部１２の記憶部に格納されている。この位相特性情報と振幅特性情報も、該他の特定のスピーカの特性を、公知の測定手段で測定することによって得た情報である。
【０２１０】
このように演算制御部１２は、作成される音声ファイルとスピーカ４とによって、他の特定のスピーカの位相特性や振幅特性を模擬するのに必要な情報を、全て有している。そして、これらの情報から、演算制御部１２が、ＦＩＲフィルタ１１に設定すべき位相特性情報や振幅特性情報を算出し、さらにフィルタ係数を算出し、ＦＩＲフィルタ１１に設定することによって、作成された音声ファイルを用いて既設のスピーカ４にて他の特定のスピーカを模倣することができる。この場合、他の特定のスピーカの位相特性や振幅特性を模擬するのに必要な情報を、演算制御部１２の記憶部に予め格納しておくことにより、操作入力部１３を用いることなく、すなわち、操作入力部１３によって所望する振幅特性及び位相特性の指定を行わなくても、作成された音声ファイルを用いて既設のスピーカ４にて他の特定のスピーカを模倣することが可能である。また、演算制御部１２の記憶部に、上記のＦＩＲフィルタ１１に設定すべき位相特性情報や振幅特性情報に基づいて算出できるフィルタ係数を予め記憶しておけば、演算制御部１２ではそのフィルタ係数をＦＩＲフィルタ１１に設定するだけで、作成された音声ファイルを用いて既設のスピーカ４にて他の特定のスピーカを模倣することができる。
【０２１１】
以上に述べたように、演算制御部１２の記憶部には、スピーカの特性の情報や、音響装置の各種の用途に応じた所望の特性（位相特性や振幅特性）の情報を格納することができる。音響装置の用途（演目）に応じた位相特性情報や振幅特性情報を演算制御部１２の記憶部に格納しておけば、音響装置の用途（演目）に応じた位相特性や振幅特性をＦＩＲフィルタ１１に設定することができる。例えば、演算制御部１２の記憶部に、非常用のアナウンスの放送を行うのに適した位相特性情報や振幅特性情報と、増幅器３やスピーカ４により構成される音響出力装置の位相特性情報や振幅特性情報とを予め格納しておけば、非常用のアナウンスの放送を行うのに適した位相特性や振幅特性が、ＦＩＲフィルタ１１と音響出力装置との総合された位相特性や振幅特性によって実現されるように、演算制御部１２が、ＦＩＲフィルタ１１に設定すべき位相特性情報や振幅特性情報を算出し、さらにフィルタ係数を算出し、ＦＩＲフィルタ１１に設定することによって、非常用のアナウンスの放送を行うのに適した位相特性や振幅特性を実現することができる。この場合、話声を明瞭に聞かせるのに適した位相特性や振幅特性を実現するのに必要な情報を、演算制御部１２の記憶部に予め格納しておくことにより、操作入力部１３を用いることなく、すなわち、操作入力部１３によって所望する振幅特性及び位相特性の指定を行わなくても、非常用のアナウンスの放送を行うのに適した位相特性や振幅特性を実現することが可能である。また、演算制御部１２の記憶部に、上記のＦＩＲフィルタ１１に設定すべき位相特性情報や振幅特性情報に基づいて算出できるフィルタ係数を予め記憶しておけば、演算制御部１２ではそのフィルタ係数をＦＩＲフィルタ１１に設定するだけで、非常用のアナウンスの放送を行うのに適した位相特性や振幅特性を実現することができる。同様に、音響装置を用いて音楽（ＢＧＭ）を流す場合なども、その場合に適した位相特性情報や振幅特性情報を演算制御部１２の記憶部に格納しておけば、音響装置の用途に応じた位相特性や振幅特性をＦＩＲフィルタ１１に設定することができる。
【０２１２】
また、音声編集装置において、ＦＩＲフィルタ１１に入出力される音声信号の振幅特性を変化させずに、位相特性のみを調整するように構成してもよい。この場合、操作入力部１３において、ＦＩＲフィルタ１１の振幅特性を調整するための構成は不要である。
【０２１３】
なお、本実施形態において、位相特性及び振幅特性の指定方法、操作方法及び表示方法等については、第１の実施形態で説明した方法により実現することができる。
【０２１４】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０２１５】
本発明は、聴取者の好みや種々の用途等に応じて音質の調整を容易に行うための音響調整装置及び音響装置等として有用である。また、本発明は、聴取者の好みや種々の用途等に応じて音質の調整が行われた音声ファイルを作成することができる音声編集プログラム等として有用である。
【符号の説明】
【０２１６】
１  音響調整装置
２  Ｄ／Ａ変換器
３  増幅器
４  スピーカ
５〜９  筐体
１０  編集処理部
１１  ＦＩＲフィルタ
１２  演算制御部
１３  操作入力部
１４  データ読出し部
１５  第１のメモリ
１６  第２のメモリ
１７  データ書込み部
１８  記録媒体再生装置
【図１】
0005498563.tif 000003
【図２】
0005498563.tif 000004
【図３】
0005498563.tif 000005
【図４】
0005498563.tif 000006
【図５】
0005498563.tif 000007
【図６】
0005498563.tif 000008
【図７】
0005498563.tif 000009
【図８】
0005498563.tif 000010
【図９】
0005498563.tif 000011
【図１０】
0005498563.tif 000012
【図１１】
0005498563.tif 000013
【図１２】
0005498563.tif 000014
【図１３】
0005498563.tif 000015